(57)【要約】【課題】遊技球の動きに意外性を付与し、同遊技球に対する注目度を高めることのできる遊技機を提供する。【解決手段】パチンコ機の遊技盤には入賞役物ユニットが設けられている。入賞役物ユニットは、大当たりの可否を決定する入賞役物と、同入賞役物へ遊技球を供給する複数の供給経路３１６等と、各供給経路３１６等へ遊技球を振り分ける振分装置３００とを備えている。振分装置３００は、遊技球を停留させる停留部３２０と、同停留部３２０を挟んだ両側に配された振分部材３３０，３４０とを有している。振分部材３３０は、回動可能に設けられており、遊技球の受け入れを許容する許容位置と非許容位置とに同振分部材３３０の回動に伴って移動する球収容部３３２と、停留部３２０上の遊技球を球収容部３３２へ入らない位置に移動させる突起３３３及び磁石３３４とを備えている。【選択図】      図１３
2020078692.tif 000002
【特許請求の範囲】
【請求項１】
前面側に設けられ、遊技球が流下可能な流下領域と、
当該流下領域を流下する複数の遊技球のうち少なくとも一部の遊技球を停留させる停留部と、
前記停留部へ遊技球を案内する案内部と、
変位可能に設けられ、前記停留部に並設されている可動部材と
を備え、
前記可動部材及び前記停留部は、前記停留部に載っている遊技球に前記可動部材が横側から当接可能な構成となっており、
前記可動部材は、前記停留部に停留している遊技球を取り込み可能な取り込み部を有し、前記可動部材の変位に伴って前記取り込み部の位置が変化した場合に、前記取り込み部による遊技球の取り込みを許容する許容状態、及び前記取り込み部による遊技球の取り込みを許容しない非許容状態に切り替わる構成となっており、
前記可動部材は、前記停留部に遊技球が停留している状況下における当該可動部材の変位に伴い、当該遊技球の前記停留部に沿った移動を促すことにより当該可動部材から当該遊技球までの距離を変化させる構成となっており、
前記可動部材及び前記停留部の両方に当接する所定の遊技球に対して後続となる遊技球が前記案内部に存在している場合に当該後続となる遊技球によって前記停留部に沿った前記所定の遊技球の移動が妨げられる構成となっており、
前記停留部に対して前記可動部材側とは反対側となる位置には、当該反対側となる位置からの遊技球の脱落を妨げるストッパ部が設けられていることを特徴とする遊技機。
【請求項２】
パチンコ機である請求項１に記載の遊技機。
【発明の詳細な説明】
【技術分野】
【０００１】
本発明は、遊技機に関するものである。
【背景技術】
【０００２】
パチンコ遊技機等の遊技機には、遊技盤に形成された遊技領域に向けて遊技球が発射され、当該遊技領域内の各種入賞口等に遊技球が入賞した場合に遊技者に遊技球の払い出し等の特典が付与されるものがある。
【０００３】
このような、パチンコ機においては、遊技領域に釘や風車等を配設することにより、遊技球の流下経路を分散させ、遊技球の動きを多様化させることで同遊技球の動きへの注目度を高めているものがある（例えば、特許文献１参照）。
【先行技術文献】
【特許文献】
【０００４】
【特許文献１】特開２００３−３２５８１１号公報
【発明の概要】
【発明が解決しようとする課題】
【０００５】
上述したタイプの遊技機においては、遊技球の動きに係る構成について未だ改善の余地がある。
【０００６】
本発明は、上記例示した事情等に鑑みてなされたものであり、遊技球の動きに係る構成を好適なものとすることができる遊技機を提供することを目的とする。
【課題を解決するための手段】
【０００７】
本発明は、
前面側に設けられ、遊技球が流下可能な流下領域と、
当該流下領域を流下する複数の遊技球のうち少なくとも一部の遊技球を停留させる停留部と、
前記停留部へ遊技球を案内する案内部と、
変位可能に設けられ、前記停留部に並設されている可動部材と
を備え、
前記可動部材及び前記停留部は、前記停留部に載っている遊技球に前記可動部材が横側から当接可能な構成となっており、
前記可動部材は、前記停留部に停留している遊技球を取り込み可能な取り込み部を有し、前記可動部材の変位に伴って前記取り込み部の位置が変化した場合に、前記取り込み部による遊技球の取り込みを許容する許容状態、及び前記取り込み部による遊技球の取り込みを許容しない非許容状態に切り替わる構成となっており、
前記可動部材は、前記停留部に遊技球が停留している状況下における当該可動部材の変位に伴い、当該遊技球の前記停留部に沿った移動を促すことにより当該可動部材から当該遊技球までの距離を変化させる構成となっており、
前記可動部材及び前記停留部の両方に当接する所定の遊技球に対して後続となる遊技球が前記案内部に存在している場合に当該後続となる遊技球によって前記停留部に沿った前記所定の遊技球の移動が妨げられる構成となっており、
前記停留部に対して前記可動部材側とは反対側となる位置には、当該反対側となる位置からの遊技球の脱落を妨げるストッパ部が設けられていることを特徴とする。
【発明の効果】
【０００８】
本発明によれば、遊技球の動きに係る構成を好適なものとすることができる。
【図面の簡単な説明】
【０００９】
【図１】一実施の形態におけるパチンコ機を示す正面図である。
【図２】パチンコ機の主要な構成を展開して示す斜視図である。
【図３】パチンコ機の構成を示す背面図である。
【図４】前扉枠の構成を示す背面図である。
【図５】本体枠の構成を示す正面図である。
【図６】遊技盤の構成を示す正面図である。
【図７】裏パックユニットの構成を示す正面図である。
【図８】裏パックユニットの分解斜視図である。
【図９】入賞役物ユニットの構成を示す正面図である。
【図１０】図９のＡ−Ａ線部分断面図である。
【図１１】図９のＢ−Ｂ線部分断面図である。
【図１２】図９のＣ−Ｃ線部分断面図である。
【図１３】振分装置の正面図である。
【図１４】遊技球の停留態様を示す概略図である。
【図１５】振分装置における遊技球の振分態様の一例を示す概略図である。
【図１６】（ａ）は入賞役物を上方から見た斜視図、（ｂ）は入賞役物の平面図である。
【図１７】図９のＤ−Ｄ線部分断面図である。
【図１８】パチンコ機の電気的構成を示すブロック図である。
【図１９】振分装置等の変形例を示す概略図である。
【発明を実施するための形態】
【００１０】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図、図３はパチンコ機１０の背面図である。なお、図２では便宜上パチンコ機１０の遊技領域内の構成を省略している。
【００１１】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００１２】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００１３】
本体枠１３には、図２に示すように、前扉枠１４が回動可能に支持されており、正面視で左側を回動基端側とし右側を回動先端側として前方へ回動可能とされている。また、本体枠１３には、裏パックユニット１５が回動可能に支持されており、正面視で左側を回動基端側とし右側を回動先端側として後方へ回動可能とされている。
【００１４】
次に、前扉枠１４について説明する。なお、以下の説明では、図１及び図２を参照するとともに、前扉枠１４の背面の構成については図４を参照する。図４は、前扉枠１４の背面図である。
【００１５】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００１６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００１７】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００１８】
前扉枠１４の背面には、図２及び図４に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００１９】
前扉枠１４の背面における回動基端側（図４の右側）には、その上端部及び下端部に突起軸６１，６２が設けられている。これら突起軸６１，６２は本体枠１３に対する組付機構を構成する。また、前扉枠１４の背面における回動先端側（図４の左側）には、図２に示すように、後方に延びる鉤金具６３が上下方向に複数並設されている。これら鉤金具６３は本体枠１３に対する施錠機構を構成する。
【００２０】
次に、本体枠１３について詳細に説明する。図５は本体枠１３の正面図である。なお、図５では便宜上パチンコ機１０の遊技領域内の構成を省略している。
【００２１】
本体枠１３は、外形が外枠１１とほぼ同一形状をなす樹脂ベース７１を主体に構成されている。樹脂ベース７１の前面における回動基端側（図５の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００２２】
樹脂ベース７１の前面における回動先端側（図５の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００２３】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００２４】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域ＰＥが樹脂ベース７１の窓孔７６を通じて本体枠１３の前面側に露出した状態となっている。
【００２５】
ここで、遊技盤８１の構成を図６に基づいて説明する。図６は遊技盤８１の正面図である。
【００２６】
遊技盤８１には、ルータ加工が施されることによって前後方向に貫通する大小複数の開口部が形成されている。各開口部には一般入賞口８２，可変入賞装置８３及び入賞役物ユニット２５０等がそれぞれ設けられている。具体的には、遊技領域ＰＥの中央に入賞役物ユニット２５０が配置されており、その入賞役物ユニット２５０の上方及び下方に複数の一般入賞口８２が散在し、それら一般入賞口８２のうち最も下側に配置されているものよりも更に下側に可変入賞装置８３が配されている。
【００２７】
一般入賞口８２に遊技球が入ると、同遊技球が一般入賞口検出センサ８４により検出され、その検出結果に基づいて予め定められた数の賞品球が払い出される。また、入賞役物ユニット２５０内に遊技球が入り、さらにその遊技球が入賞役物ユニット２５０内に設けられた大当たり入賞口に入るとそれが後述する大当たり入賞口検出センサにより検出され、大当たり遊技状態へと移行される。大当たり遊技状態に移行されると、通常時においては閉鎖され入球を不可としている可変入賞装置８３が開放される。これにより、可変入賞装置８３への入球が許容された状態となる。そして、可変入賞装置８３内に遊技球が入ると、それが特別入賞口検出センサ８５により検出され、その検出結果に基づいて予め定められた数の賞品球が払い出される。可変入賞装置８３の開放態様は、所定時間（例えば３０秒間）の経過又は所定個数（例えば１０個）の入賞を１ラウンドとして、複数ラウンド（例えば１５ラウンド）を上限として繰り返し開放されるように設定されている。
【００２８】
その他に、遊技盤８１の最下部にはアウト口８７が設けられており、一般入賞口８２や可変入賞装置８３等に入らなかった遊技球はアウト口８７を通って遊技領域ＰＥ外に排出される。また、遊技盤８１には、遊技球の流下方向を適宜分散、調整等するために多数の釘８８が植設されているとともに、風車８９等の各種部材（役物）が配設されている。これら釘８８や風車８９等の各種構成によって、遊技球の流下経路が分化され、上述した一般入賞口８２等への入賞が適度な確率で発生するように調整されている。
【００２９】
再び図５を用いて説明すれば、樹脂ベース７１における窓孔７６の下方には、遊技球発射ハンドル４１の操作に基づき遊技領域ＰＥに向けて遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、発射待機位置に遊技球を供給する球送り機構１１３と、それら各種構成１１１，１１２，１１３が装着されているベースプレート１１４とを主要な構成として備えている。遊技球発射機構１１０は、ベースプレート１１４が本体枠１３の樹脂ベース７１に対してネジ等の締結具により固定されることにより、遊技機主部１２に対して一体化されている。
【００３０】
遊技球発射機構１１０（詳しくはソレノイド１１１）は、後述する電源・発射制御装置に対して電気的に接続されている。その電源・発射制御装置からの電気的な信号の出力に基づいてソレノイド１１１の出力軸が伸縮方向、すなわち発射レール１１２のレール方向に移動し、発射待機位置に置かれた遊技球が遊技領域ＰＥ、詳しくは遊技盤８１に装着された誘導レール１００に向けて打ち出される。
【００３１】
誘導レール１００は、遊技球の直径よりも若干大きな隙間を隔てて対峙するように配置された内レール１０１及び外レール１０２からなり、それら両レール１０１，１０２によって挟まれた領域により遊技球の誘導通路が形成されている。ソレノイド１１１の動作に基づいて発射された遊技球は、誘導通路内を移動することにより遊技領域ＰＥの上部に案内される。
【００３２】
誘導レール１００の入口部分と発射レール１１２との間には所定間隔の隙間が設けられおり、この隙間より下方には前扉枠１４の通路形成ユニット５０に形成されたファール球通路５５が配設されている。仮に遊技球発射機構１１０から発射された遊技球が遊技領域ＰＥまで至らずファール球として誘導通路内を逆戻りする場合には、それらファール球は上記隙間を介してファール球通路５５内に入る。ファール球通路５５は前扉側下皿通路５２に通じており、ファール球通路５５に入った遊技球は図１に示した下皿３４に排出される。これにより、ファール球と次に発射される遊技球との干渉が抑制される。
【００３３】
次に、本体枠１３の背面構成について簡単に説明する。
【００３４】
樹脂ベース７１の背面における回動先端側には、施錠装置が設けられており、シリンダ錠７５におけるキー操作に対して施錠装置が連動し、本体枠１３及び前扉枠１４の解錠が行われる。
【００３５】
樹脂ベース７１の背面における回動基端側には、軸受け金具が取り付けられている。軸受け金具には、上下に離間させて軸受け部が形成されており、これら軸受け部により本体枠１３に対して裏パックユニット１５が回動可能に取り付けられている。また、樹脂ベース７１の背面には、裏パックユニット１５を本体枠１３に締結するための被締結孔が設けられている。更に、樹脂ベース７１の背面には、係止金具が複数設けられており、これら係止金具によって上述したように樹脂ベース７１に対して遊技盤８１が取り付けられている。
【００３６】
次に、裏パックユニット１５について説明する。図７は裏パックユニット１５の正面図、図８は裏パックユニット１５の分解斜視図である。
【００３７】
図７に示すように、裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも入賞役物ユニット２５０を囲むのに十分な大きさを有する。
【００３８】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【００３９】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００４０】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【００４１】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【００４２】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【００４３】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００４４】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【００４５】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化される。
【００４６】
本実施の形態においては、遊技盤８１に設けられた入賞役物ユニット２５０に関して特徴的な構成を備えている。そこで以下、図９に基づき入賞役物ユニット２５０について説明する。図９は入賞役物ユニット２５０の正面図である。
【００４７】
入賞役物ユニット２５０は、当該入賞役物ユニット２５０を構成する各種装置等が収容されたケース２６０を有している。ケース２６０は、遊技盤８１の正面側に開放された箱状をなしており、その内部がパチンコ機１０の前方から上記ガラス２２を通して視認可能となっている。ケース２６０は遊技盤８１の開口から前方に張り出した状態で同遊技盤８１に固定されており、遊技領域ＰＥを流下する遊技球Ｂが同ケース２６０の周壁を乗り越えて当該ケース２６０の内部に侵入することが回避されている。つまり、ケース２６０によって遊技領域ＰＥの一部が区画され、その区画された領域、すなわち入賞役物ユニット２５０内への遊技球Ｂの流入が制限されている。
【００４８】
ケース２６０の内部領域は仕切り２７０によって上下に二分されており、仕切り２７０よりも下側が後述する入賞役物等の配置領域、上側が入賞役物ユニット２５０内へ遊技球が流入する際の入口領域となっている。ケース２６０の周壁において仕切り２７０よりも上側となる部分、詳しくは左右両側壁２６１，２６２の上部には遊技球Ｂの通過を許容する大きさの開口２６３，２６４が形成されている。
【００４９】
ケース２６０には、それら開口２６３，２６４を塞ぐ羽根部材２６５，２６６が取り付けられている。羽根部材２６５，２６６は回動可能に軸支されており、それら開口２６３，２６４を塞ぎ遊技球Ｂの流入を阻止する閉鎖位置と、同開口２６３，２６４を開放し遊技球Ｂの流入を許容する開放位置とに切替可能となっている。これら羽根部材２６５，２６６は通常、閉鎖位置に待機することでケース２６０内への遊技球Ｂの流入を阻止しており、上記一般入賞口８２への遊技球Ｂの入賞が検知された場合に、所定の期間だけ開放位置に切り替えられる。羽根部材２６５，２６６が開放位置に存在している場合、遊技領域ＰＥを流下する遊技球Ｂがそれら羽根部材２６５，２６６に沿って同開口２６３，２６４へと導かれやすくなり、それら遊技球Ｂのケース２６０（詳しくは上記球流入領域）内への流入が許容されることとなる。なお、必ずしも両側壁２６１，２６２に開口を設ける必要は無く、それら両側壁２６１，２６２のうちいずれか一方にのみ設けてもよい。また、開口を、ケース２６０の側部ではなく、例えばケース２６０の頂部に設けることも可能である。
【００５０】
上述した仕切り２７０よりも上方には、開口２６３，２６４から流入した遊技球Ｂが通過することでそれら遊技球Ｂの落下方向及び落下位置を規定する中継部２６７，２６８が設けられている。開口２６３，２６４から流入した遊技球Ｂは、中継部２６７，２６８を経由し、仕切り２７０上に落下することとなる。なお、中継部２６７，２６８に、減勢用の壁面等を設けるとよい。
【００５１】
仕切り２７０は、複数の平板（詳しくは固定板２７１及び可動板２７２，２７３）が同一平面上に並設されてなり、それら各板２７１〜２７３の板面が上方を向くように配置されている。これにより、仕切り２７０の上面を遊技球Ｂが転動可能となっている。以下、図９に加え図１０を参照して、仕切り２７０について簡単に説明する。図１０は、図９のＡ−Ａ線部分断面図である。なお、図１０においては便宜上、仕切り２７０にドットハッチングを付与することにより他の構成との識別をしやすくしている。
【００５２】
図１０に示すように、仕切り２７０を構成する固定板２７１は、ケース２６０の奥壁２６９から起立してなり、ケース２６０の両側壁２６１，２６２との間に所定の隙間が生じるように形成されている。この固定板２７１に対して、上記可動板２７２，２７３が回動可能に連結されている。
【００５３】
再び図９を用いて説明すれば、可動板２７２，２７３は、固定板２７１を挟んだ左右両側且つ上記中継部２６７，２６８の排出口の真下に配置されているとともに、固定板２７１とケース２６０の側壁２６１，２６２との隙間を埋めている。より具体的には、可動板２７２，２７３は、固定板２７１の左右両側の縁部において同固定板２７１により軸支され、左右両側の端部（すなわち固定板２７１側の端部及び固定板２７１とは反対側の端部）が同じ高さとなる水平状態と、固定板２７１側の端部よりも上記反対側の端部が上位となる傾斜状態とに切替可能となっている。これら水平状態及び傾斜状態は、可動板２７２，２７３の支軸に接続されたモータ２７４，２７５の動作に基づいて切り替えられる。
【００５４】
モータ２７４，２７５は、後述する主制御装置に対して電気的に接続されている。各可動板２７２，２７３は通常、水平状態で保持されており、一般入賞口８２への入賞に基づく主制御装置からの電気的な信号の出力によってモータ２７４，２７５が駆動することにより、所定期間だけ上記傾斜状態に切り替えられる。
【００５５】
以上詳述した固定板２７１及び可動板２７２，２７３は、ケース２６０の奥方（奥壁２６９側）に向けて僅かに下り傾斜しており、その傾斜の低位となる部分には、仕切り２７０よりも下側の領域（前記配置領域）への遊技球Ｂの流入を許容する開放部２７６〜２７８がそれぞれ形成されている（図１０参照）。
【００５６】
図１０に示すように、中継部２６７，２６８から排出された遊技球Ｂは、可動板２７２，２７３上に落下する。遊技球Ｂが可動板２７２，２７３上に載っている場合にそれら両可動板２７２，２７３が水平状態となっていれば、遊技球Ｂは各可動板２７２，２７３の開放部２７７，２７８に導かれやすくなる。一方、遊技球Ｂが可動板２７２，２７３上に載っている場合にそれら可動板２７２，２７３が傾斜状態となっていれば、それら遊技球Ｂは固定板２７１の開放部２７６に導かれやすくなる。
【００５７】
図９に示すように、固定板２７１の上面には飛行機及びパイロットを模した造形の施された装飾２７９が固定されている。当該装飾２７９によって、固定板２７１の上面が左右に二分されており、各中継部２６７，２６８から排出された遊技球Ｂの往来が不可となっている。可動板２７２，２７３の傾斜に沿って固定板２７１側に転がった遊技球Ｂは、装飾２７９の側壁に衝突することによりその勢いが弱められた状態で、固定板２７１の開放部２７６に至りやすくなっている（図１０参照）。
【００５８】
固定板２７１の下方には、遊技球の入賞の可否を左右する入賞役物３５０と同入賞役物３５０に至る遊技球の供給経路を振り分ける振分装置３００とが、前者を下側、後者を上側として上下に並設されている。ここで、振分装置３００及びそれに付随する構成について説明する。
【００５９】
仕切り２７０の下方には、入賞役物３５０に遊技球を供給する第１供給経路３０１，３０２へと遊技球Ｂを案内する第１案内部３０３と、振分装置３００に遊技球Ｂを案内可能な第２案内部３０４とが設けられている。それら第１案内部３０３及び第２案内部３０４は、第１案内部３０３が両可動板２７２，２７３の下側、第２案内部３０４が固定板２７１の下側となるように左右に並べて配置されている。ここで、図９，図１０及び図１１に基づきそれら各案内部３０３，３０４について説明する。図１１は図９のＢ−Ｂ線部分断面図である。なお、図１１においては便宜上、案内部３０３，３０４等にドットハッチングを付与することで他の構成との識別をしやすくしている。
【００６０】
図１１に示すように、第１案内部３０３は、ケース２６０の両側壁２６１，２６２及び奥壁２６９に対して一体成形されており、水平状態の各可動板２７２，２７３に対して所定の隙間を隔てて対向する１対の対向部３０６，３０７によって構成されている。各対向部３０６，３０７は平板状をなし、可動板２７２，２７３の開放部２７７，２７８から落下する遊技球の落下経路上に位置している（図１０参照）。これにより、それら開放部２７７，２７８から落下した遊技球Ｂは、対向部３０６，３０７上に載りやすくなっている。
【００６１】
また、各対向部３０６，３０７の上面は、パチンコ機１０の後方（すなわち奥壁２６９側）且つ第２案内部３０４から離れる側に僅かに下り傾斜しており、その低位部分には第１供給経路３０１，３０２の入口３０１ａ，３０２ａが形成されている。つまり、対向部３０６，３０７上に載った遊技球Ｂは、それら遊技球Ｂの自重により対向部３０６，３０７に沿って転がり第１供給経路３０１，３０２の入口３０１ａ，３０２ａに至る。
【００６２】
一方、第２案内部３０４は、ケース２６０に一体成形され、同ケース２６０の奥壁２６９から前方に突出する一対の円柱３１１，３１２を備えている。それら円柱３１１，３１２は、同円柱３１１，３１２の中心軸線が前後に延びるように形成されているとともに、各円柱３１１，３１２の中心軸線が固定板２７１の開放部２７６の真下となるように配置されている。これにより、固定板２７１の開放部２７６から落下した遊技球Ｂが各円柱３１１，３１２の頂部付近に落下しやすくなっている。
【００６３】
それら各円柱３１１，３１２は、遊技球Ｂの直径よりも小さな隙間を隔てて左右に並設されているとともに、自身の後端から前端に向けて徐々に縮径されている。つまり、それら両円柱３１１，３１２の隙間が先端側に向けて徐々に広がっている。両円柱３１１，３１２の間には、両者の隙間を埋めるようにして樋３１３が設けられている。樋３１３は、両円柱３１１，３１２と同様にケース２６０の奥壁２６９から起立しているとともに、前方に向けて僅かに傾いている。樋３１３の上面３１４は下方に凹んだ溝状をなしており、樋３１３上に載った遊技球は、当該上面３１４に沿って移動しやすくなっている。これら樋３１３及び両円柱３１１，３１２によって第２案内部３０４が構成されている。
【００６４】
入賞役物ユニット２５０内に流入した遊技球のうち固定板２７１の開放部２７６から落下し第２案内部３０４に至ったものは、第２案内部３０４によって振分装置３００に案内されるものと、そうでないものとに振り分けられる。具体的には、図１１に示すように、円柱３１１，３１２の両中心軸線に挟まれた領域に向けて、すなわち両円柱３１１，３１２において相対向している内側部分に向けて落下した遊技球Ｂ１は、両円柱３１１，３１２のうち衝突対象としての一方から、他方に向けて跳ね返ることとなる。これら遊技球Ｂ１は、前方に移動しつつ両円柱３１１，３１２間で跳ね返りを繰り返すことにより左右の振れが抑えられ、樋３１３の上面３１４に嵌まる位置に収束しやすくなっている。左右の振れが収まった遊技球Ｂ１は、同遊技球Ｂ１の自重によって円柱３１１，３１２の前端側に移動し、振分装置３００に至る。
【００６５】
一方、円柱３１１，３１２において相対向している側とは反対側に向けて落下した遊技球Ｂ２は、両円柱３１１，３１２のうち衝突対象としての一方から、他方とは反対側に向けて、つまり上述した第１案内部３０３に向けて跳ね返ることとなる。第１案内部３０３に至った遊技球Ｂ２は、上記可動板２７２，２７３の開放部２７７，２７８から落下した遊技球と同様に、自重によって対向部３０６，３０７上を転動し、第１供給経路３０１の入口３０１ａに至る。
【００６６】
次に、図９，図１２及び図１３に基づき振分装置３００について説明する。図１２は図９のＣ−Ｃ線部分断面図、図１３は振分装置３００の正面図である。なお、便宜上、図１３においては後述する透明板３２５を省略している。
【００６７】
図９に示すように振分装置３００は、第２案内部３０４の樋３１３によって案内された遊技球を停留させる停留部３２０と、その停留部３２０を挟んだ左右両側に設けられた一対の振分部材３３０，３４０とを備えている。具体的には、それら停留部３２０と振分部材３３０，３４０とは、遊技球の直径寸法以下の隙間を隔てて左右に並んでいる。
【００６８】
図１２に示すように、停留部３２０は、上記樋３１３の前端面から起立し、円柱３１１，３１２と同一方向に延びる柱状をなしている。停留部３２０は、その上面が樋３１３の上面３１４よりも下位となるように形成されている。言い換えれば、停留部３２０及び樋３１３は、樋３１３の上面３１４が上位、当該停留部３２０の上面が下位となる段差状をなしている。
【００６９】
また、停留部３２０の起立量は、遊技球の直径寸法よりも若干大きく設定されており、その先端側には、遊技機固有の造形が施された透明板３２５が同先端部分に当接した状態で配置されている。
【００７０】
第２案内部３０４の樋３１３に沿って前方に転がった遊技球は、樋３１３から落下することで停留部３２０に移る。停留部３２０上に載っている遊技球Ｂ３は、同停留部３２０及び振分部材３３０，３４０によって支えられ、且つ停留部３２０の先端側からの零れ落ちが透明板３２５によって阻止されている。
【００７１】
仮に複数の遊技球が同時期に第２案内部３０４の樋３１３によって停留部３２０に案内された場合には、停留部３２０に停留している遊技球Ｂ３に対して後続する遊技球Ｂ４が、樋３１３の上面３１４に沿って整列した状態で待機する。より詳しくは、遊技球Ｂ３と遊技球Ｂ４とは、それらの中心がパチンコ機１０の平面視において前後に延びる仮想直線上に位置する状態で待機する。
【００７２】
また、樋３１３の上面と停留部３２０の上面との段差寸法は、遊技球の直径寸法よりも小さく（具体的には遊技球の半径寸法程度に）設定されている。このため、停留部３２０に停留している遊技球Ｂ３に対して後続する遊技球Ｂ４が上側から当接し、それら後続する遊技球Ｂ４の停留部３２０側への移動が妨げられることとなる。
【００７３】
図１３に示すように、停留部３２０の上面は、両振分部材３３０，３４０の並設方向における遊技球の揺動を許容する幅を有しており、その幅の中間位置を頂部３２１として両振分部材３３０，３４０に向けて下り傾斜している。つまり、停留部３２０は、両振分部材３３０，３４０の中間位置を境として、それら各振分部材３３０，３４０に向けて傾斜する傾斜部３２２，３２３を有している。頂部３２１は前後に延びる線状をなしており、同頂部３２１に載った遊技球Ｂ３は、その中心（重心）が各傾斜部３２２，３２３のいずれか一方側に傾き（偏倚し）やすくなっている。
【００７４】
振分部材３３０，３４０は、円柱状をなしているとともに、その中心軸線が上記円柱３１１，３１２の中心軸線と同一方向に延び、且つ頂部３２１に載っている遊技球Ｂ３の中心位置（重心位置）が左右に偏倚した場合に、同遊技球Ｂ３がそれら振分部材３３０，３４０の外周面３３０ａ，３４０ａに接触する位置に配されている。これにより、停留部３２０上に停留している遊技球Ｂ３は、左右への重心移動が許容された状態で頂部３２１に対して載った状態となりやすくなっている。また、頂部３２１は、振分部材３３０，３４０の中心軸線よりも上位となるように形成されている。このため、頂部３２１上に載った遊技球Ｂ３の中心がそれら中心軸線よりも上位に位置することとなる。
【００７５】
また、振分部材３３０，３４０は、自身の中心軸線を中心とする回動が許容された状態で各円柱３１１，３１２に取り付けられている。各円柱３１１，３１２は中空状をなしており、それら各円柱３１１，３１２の内部には各振分部材３３０，３４０に接続されたモータ３３１，３４１が収容されている（図１１参照）。
【００７６】
モータ３３１，３４１は、後述する主制御装置に対して電気的に接続されている。主制御装置からの電気的な信号の出力によってモータ３３１，３４１が駆動することにより、両振分部材３３０，３４０がそれぞれ同じ速度で回動することとなる。各振分部材３３０，３４０の回動方向は、同振分部材３３０，３４０の回動時に、各振分部材３３０，３４０の外周面３３０ａ，３４０ａにおいて停留部３２０と横並びとなる位置を通過する部位が上方且つ同停留部３２０から遠ざかる方向に移動するように規定されている。詳しくは、停留部３２０の右側に位置する振分部材３４０がパチンコ機１０の正面視にて時計回りに回動し、停留部３２０の左側に位置する振分部材３３０がパチンコ機１０の正面視にて反時計回りに回動するように規定されている。
【００７７】
振分部材３３０，３４０は、それら振分部材３３０，３４０における中心軸線方向の長さが第２案内部３０４からの停留部３２０の延出量と同等、すなわち遊技球の直径よりも若干大きくなるように設定されており、それら振分部材３３０，３４０の外周には、遊技球が収容される球収容部３３２，３４２がそれぞれ設けられている。それら球収容部３３２，３４２は、各振分部材３３０，３４０の中心に向けて凹んでおり、遊技球一個を同振分部材３３０，３４０の外周面３３０ａ，３４０ａから突出させることなく完全に収容できる大きさを有している。これら球収容部３３２，３４２は、振分部材３３０，３４０の回動に合わせて同振分部材３３０，３４０の周方向に変位する。具体的には、球収容部３３２，３４２の入口部分が停留部３２０に停留している遊技球Ｂ３に向きそれら遊技球Ｂ３の受け入れが許容される許容位置と、同遊技球Ｂ３の受け入れが不可となる非許容位置との両位置を繰り返し通過する。
【００７８】
本実施の形態においては、左右の振分部材３３０，３４０が異なる数の球収容部３３２，３４２を有しており、両振分部材３３０，３４０の球収容部３３２，３４２のうち一方に遊技球が収容される確率と他方に遊技球が収容される確率とを相違させやすくしている。詳しくは、左側の振分部材３３０（以下、左側振分部材３３０と称する）には、球収容部３３２が２つ設けられているとともに、右側の振分部材３４０（以下、右側振分部材３４０と称する）には、球収容部３４２が１つだけ設けられており、左側振分部材３３０の球収容部３３２へ収容される確率が、右側振分部材３４０の球収容部３４２へ収容される確率よりも高くなっている。
【００７９】
左側振分部材３３０の球収容部３３２に遊技球Ｂ３が入った場合、同遊技球Ｂ３は、左側振分部材３３０の回動に基づいて停留部３２０から離れ第１案内部３０３の対向部３０６に向けて反時計回りに移動する。対向部３０６における左側振分部材３３０側の端部には、同左側振分部材３３０の外周面３３０ａに沿って当該左側振分部材３３０の回動中心軸線よりも上位となる位置まで延びるフランジ３０８が形成されている。フランジ３０８は、左側振分部材３３０の外周面３３０ａに対して若干の隙間（詳しくは遊技球の半径以下の隙間）を隔てて対向している。球収容部３３２がフランジ３０８と対向する位置まで移動すると、同球収容部３３２の開放部分がフランジ３０８によって覆われることとなる。仮に球収容部３３２に遊技球が収容されている場合には、球収容部３３２がフランジ３０８によって覆われていることで、同遊技球の飛び出しが規制される。
【００８０】
フランジ３０８の下方には、上記第１供給経路３０１，３０２とは異なる経路で遊技球を入賞役物３５０に供給する第２供給経路３１６の入口３１６ａが設けられている。第２供給経路３１６の入口３１６ａは斜め上方に向けて開放されており、球収容部３３２がフランジ３０８を通り過ぎた位置に至った場合に、同球収容部３３２と連なるように形成されている。つまり、球収容部３３２に入った遊技球は、左側振分部材３３０の回動に伴って移動し、フランジ３０８による飛出規制区間を通り過ぎた後、球収容部３３２から離れ第２供給経路３１６の入口３１６ａに流入することとなる。
【００８１】
一方、右側振分部材３４０の球収容部３４２に遊技球が入った場合、同遊技球は右側振分部材３４０の回動に基づいて停留部３２０から離れ第１案内部３０３に向けて時計回りに移動する。第１案内部（詳しくは対向部３０７）における右側振分部材３４０側の端部についても同様に、右側振分部材３４０の外周面３４０ａに沿って延びるフランジ３０９が形成されており、このフランジ３０９によって球収容部３４２からの遊技球の飛び出しが規制されている。
【００８２】
フランジ３０９（右側振分部材３４０）の下方には、上記第１供給経路３０１，３０２及び第２供給経路３１６とは異なる経路で遊技球を入賞役物３５０に供給する第３供給経路３１７が設けられている。第３供給経路３１７は上方及び前方に開放された略箱状をなしており、球収容部３４２がフランジ３０９を通り過ぎて下方を向いた場合に、その開放部位を通じて当該第３供給経路３１７への遊技球の流入を許容するように形成されている。つまり、球収容部３４２に入った遊技球は、右側振分部材３４０の回動に伴って移動し、フランジ３０９による飛出規制区間を通り過ぎた後、球収容部３４２から離れ第３供給経路３１７へと流入することとなる。なお、第３供給経路３１７の前方開放部分は前記透明板３２５によって塞がれており、遊技球の零れが阻止されている（図１２参照）。
【００８３】
左側振分部材３３０及び右側振分部材３４０には、停留部３２０に停留している遊技球Ｂ３を移動させる移動手段が設けられており、この移動手段によって遊技球Ｂ３が移動されることで、球収容部３３２，３４２への入球にばらつきを与えたり、入球の可否を生じさせたりしている。左側振分部材３３０に設けられた移動手段と、右側振分部材３４０に設けられた移動手段とはそれらの配列を除き同様の構成を有する。故に、以下の説明では、先ず左側振分部材３３０に設けられた移動手段について説明し、後に、右側振分部材３４０に設けられた移動手段との差違を説明する。なお、以下の説明では、図１４（振分装置３００と遊技球との関係を示す概略図）を適宜参照する。
【００８４】
図１３に示すように、左側振分部材３３０に設けられた移動手段は、左側振分部材３３０の外周面３３０ａから同左側振分部材３３０の中心軸線における放射方向に隆起した複数の突起３３３を有してなる。突起３３３は、左側振分部材３３０の前端及び後端の両端に渡って形成されており、同左側振分部材３３０の周方向に所定の間隔を隔てて配列されている。詳しくは、各突起３３３の間隔は、隣り合う二つの突起３３３に対して遊技球Ｂ３が同時に当たらないように、すなわち一の突起３３３に対してのみ遊技球Ｂ３が当たるように設定されている。突起３３３の突出量は、停留部３２０との干渉を回避しつつ、頂部３２１に載っている遊技球Ｂ３の中心を頂部３２１の真上まで押し上げることができるように設定されている。なお、突起３３３の突出量について補足すれば、上記フランジ３０９との干渉を回避可能な程度に抑えられている。これにより、左側振分部材３３０の回動時の突起３３３とフランジ３０９との支えが回避されている。
【００８５】
左側振分部材３３０においては、上記球収容部３３２が回動中心を挟んだ両側に配されており、突起３３３は同左側振分部材３３０の周方向において両球収容部３３２の間にそれぞれ配されている。一方、右側振分部材３４０においては、突起３４３の数が左側振分部材３３０のそれよりも多く設定されている。
【００８６】
ここで、左側振分部材３３０の突起３３３と右側振分部材３４０の突起３４３との配列について詳細に説明する。左側振分部材３３０の突起３３３と右側振分部材３４０の突起３４３とは、両振分部材３３０，３４０が１回転する間に、右側振分部材３４０の突起３４３が停留部３２０と対向する位置を通過した後、左側振分部材３３０の突起３３３が停留部３２０と対向する位置を通過するのに要する左側振分部材３３０の回転角度の総和が、左側振分部材３３０の突起３３３が停留部３２０と対向する位置を通過した後、右側振分部材３４０の突起３４３が停留部３２０と対向する位置を通過するのに要する右側振分部材の回転角度の総和よりも大きくなるように配列されている。
【００８７】
既に説明したように各振分部材３３０，３４０の回動速度は同一となっているため、停留部３２０の頂部３２１上に停留し、両振分部材３３０，３４０間を揺動している遊技球Ｂ３は、遊技球Ｂ３が左側の傾斜部３２２側に傾いた状態（図１４（ａ）参照）で停留する期間が右側の傾斜部３２３側に傾いた状態（図１４（ｂ）参照）で停留する期間に比べて長くなりやすくなる。これにより、停留部３２０に停留している遊技球Ｂ３が右側振分部材３４０の球収容部３４２に比べて左側振分部材３３０の球収容部３３２に入りやすくなっている。
【００８８】
また、図１４（ｂ）に示すように突起３３３は、左側振分部材３３０の回動により、停留部３２０（例えば頂部３２１）上に載っている遊技球Ｂ３において同停留部３２０との接触点ＣＰ１と同一側（詳しくは遊技球Ｂ３を上下に二分した場合の下側半球部分）に対して当る。このように、停留部３２０上の遊技球Ｂ３に対して突起３３３が当った際には、同遊技球Ｂ３の中心ＣＴと当該遊技球Ｂ３及び停留部３２０の接触点ＣＰ１とを結んだ第１仮想直線ＰＬ１、同遊技球Ｂの中心ＣＴと当該遊技球Ｂ３及び突起３３３の接触点ＣＰ２とを結んだ第２仮想直線ＰＬ２の両仮想直線ＰＬ１，ＰＬ２のなす角ＡＮＧ１が９０°以下となり、左側振分部材３３０の回動に伴って停留部３２０及び突起３３３による球噛みが発生することが抑制される。
【００８９】
ここで、図１４（ｃ）に基づき、左側振分部材３３０の突起３３３と右側振分部材３４０の突起３４３との関係について説明する。左側振分部材３３０に設けられた複数の突起３３３の一部と、右側振分部材３４０に設けられた複数の突起３４３の一部とは、停留部３２０を挟んで左右対称となるように配されている。既に説明したように、左右の振分部材３３０，３４０の回転速度は同一となるように設定されており、それら両者の回転が同期する構成となっている。また、各振分部材３３０，３４０の相対位置は、停留部３２０に停留している遊技球Ｂ３に対して上記対称配置された突起３３３，３４３の一方が当たった場合に、それら両突起３３３，３４３の隙間寸法が遊技球の直径寸法よりも小さくなるように定められている。このため、上記対称配置された突起３３３，３４３の一方に当たった遊技球Ｂ３は、他方に対しても当たることとなる。そして、各振分部材３３０，３４０の回動に伴い、それら両突起３３３，３４３によって停留部３２０から上方に持ち上げられることとなる。
【００９０】
本実施の形態においては特に、遊技球Ｂ３の中心ＣＴ及び同遊技球Ｂ３における左側振分部材３３０の突起３３３との接触点ＣＰ３を結んだ第３仮想直線ＰＬ３と、遊技球Ｂ３の中心ＣＴ及び同遊技球Ｂ３における右側振分部材３４０の突起３４３との接触点ＣＰ３を結んだ第３仮想直線ＰＬ４との両仮想直線ＰＬ３，ＰＬ４のなす角ＡＮＧ２（詳しくは停留部３２０側のなす角）が１８０°以下となるように構成されている。これにより、両振分部材３３０，３４０の回動に伴って突起３３３，３４３による球噛みが発生することを抑制している。
【００９１】
再び図１３を参照して説明すれば、左側振分部材３３０の突起３３３の間には、上記移動手段を構成する複数の磁石３３４が設けられている。これら磁石３３４は、左側振分部材３３０に埋設されており、同左側振分部材３３０の外周面３３０ａからの突出が抑えられている。磁石３３４の磁力は、当該磁石によって保持された遊技球を左側振分部材３３０の回動に併せて停留部３２０から持ち上げることが可能となるように設定されている。つまり、停留部３２０上で揺動している遊技球のうち、磁石３３４によって捕捉された遊技球は、左側振分部材３３０の回動によって停留部３２０から離間しやすくなる。より詳しくは、第２案内部３０４に後続の遊技球が待機していない場合には、磁石３３４によって捕捉された遊技球の停留部３２０からの離れが許容され、第２案内部３０４に後続の遊技球が待機している場合には、停留部３２０上に停留している遊技球が後続の遊技球によって上方から押えられるため磁石３３４によって捕捉されたとしても停留部３２０からの離れが阻止されやすくなる。
【００９２】
磁石３３４によって遊技球が捕捉された場合に、その捕捉された遊技球Ｂ５が左側振分部材３３０の回動に伴って移動する移動経路上に上記第１案内部３０３のフランジ３０８が位置している。左側振分部材３３０の回動によってフランジ３０８に衝突した遊技球Ｂ５は、同フランジ３０８によって左側振分部材３３０に追従した移動が妨げられる。このため、左側振分部材３３０の回動によって遊技球Ｂ５と磁石３３４が引き離されることとなり、磁石３３４の吸引力による拘束から離れた遊技球は第１案内部３０３（詳しくは対向部３０６上）に落下する。このようにして第１案内部３０３に至った遊技球は、再度の停留部３２０への復帰や、球収容部３３２への流入が不可となり、対向部３０６の傾斜に沿って第１供給経路３０１の入口３０１ａに向かうこととなる。
【００９３】
右側振分部材３４０についても同様に、突起３４３の間に上記移動手段を構成する複数の磁石３４４が設けられている。これら磁石３４４に関する構成及び作用については、上記左側振分部材３３０の磁石３３４と同様であるため、詳細な説明は省略する。
【００９４】
ここで、停留部３２０に至った遊技球の動きについて幾つかのパターンを説明する。本実施の形態においては特に、遊技球の動きのパターンが停留部３２０に停留している遊技球に対して後続する遊技球が樋３１３に待機している場合と待機していない場合とで相違し得る。故に、先ず図１５に基づき、後続の遊技球が存在していない場合について説明し、その後、後続の遊技球が存在している場合について説明する。図１５は遊技球の動きを示した概略図であり、停留部３２０に停留している遊技球は両振分部材３３０，３４０の動作によって図１５（ａ）→図１５（ｂ）→図１５（ｃ）→図１５（ｄ）の順に移動する。
【００９５】
図１５（ａ）に示すように、第２案内部３０４を経由して停留部３２０に案内された遊技球Ｂは、停留部３２０の頂部３２１上に載る。このように遊技球Ｂが頂部３２１に載った時点では、左側振分部材３３０の磁石３３４が停留部３２０の近傍、詳しくは遊技球Ｂの吸引は可能であるものの同遊技球Ｂの捕捉は不可となる位置に存在している。この左側振分部材３３０の磁石３３４の磁力によって、遊技球Ｂが左側振分部材３３０側に引き寄せられる。つまり、遊技球Ｂは、その中心ＣＴが左側振分部材３３０側に傾き、同左側振分部材３３０の外周面３３０ａに寄りかかった状態となる。この状態では、右側振分部材３４０の球収容部３４２が遊技球Ｂの受け入れを許容する位置に至っているものの、遊技球Ｂが左側振分部材３３０側に傾いているため、遊技球Ｂの同球収容部３４２に向けての移動が回避され、右側振分部材３４０の球収容部３４２は遊技球Ｂが入ることなく上記許容位置を素通りすることとなる。
【００９６】
両振分部材３３０、３４０が回動することで、左側振分部材３３０の磁石３３４が遊技球Ｂから遠ざかるとともに、突起３３３が遊技球Ｂを押すこととなる。これにより、図１５（ｂ）に示すように、遊技球Ｂの中心ＣＴが右側振分部材３４０側に傾き、同右側振分部材３４０の外周面３４０ａに寄りかかった状態となる。この状態では、遊技球Ｂは右側振分部材３４０側へ当該遊技球Ｂの自重によって付勢された状態となっている。
【００９７】
更に両振分部材３３０、３４０が回動すると、図１５（ｃ）に示すように、右側振分部材３４０の突起３４３によって遊技球Ｂが左側振分部材３３０側に押される。これにより、遊技球Ｂの中心ＣＴが左側振分部材３３０側に傾き、再び左側振分部材３３０に寄りかかった状態となる。
【００９８】
このように遊技球Ｂが左側に傾いた状態では、同遊技球Ｂが自重によって左側振分部材３３０側に付勢されている。その状態が維持されたまま、両振分部材３３０，３４０の回動が進むと、左側振分部材３３０の球収容部３３２が遊技球Ｂの受け入れを許容する許容位置に至り、遊技球Ｂが左側傾斜部３２２に沿って球収容部３３２へ移動する（図１５（ｄ）参照）。その後、遊技球Ｂは第２供給経路３１６へと導かれる。
【００９９】
次に、図１５（ａ）に示したタイミングよりも若干早いタイミング、詳しくは左側振分部材３３０の磁石３３４が停留部３２０に対して横並びとなる位置（すなわち停留部３２０の傍）を通過するタイミングで遊技球が停留部３２０に至った場合について説明する。
【０１００】
このタイミングで停留部３２０に至った遊技球は、左側振分部材３３０の磁石３３４によって捕捉されることとなる。磁石３４４によって捕捉された遊技球は、右側振分部材３４０の球収容部３４２が許容位置に至っても同球収容部３４２に入ることなく、左側振分部材３３０の回動に伴って停留部３２０から離間する。つまり、右側振分部材３４０の球収容部３４２は許容位置を素通りすることとなる。その後、左側振分部材３３０の回動が進むことにより、磁石３３４に捕捉された遊技球は対向部３０６のフランジ３０８（図１３参照）に当り、同磁石３３４に追従した動きが妨げられることとなる。これにより、遊技球は磁石３３４から離れ、第１案内部３０３を経由して第１供給経路３０１に向かう。
【０１０１】
また、上述した２つの例よりも更に早いタイミングで、例えば図１３に示すように、右側振分部材３４０の２つの磁石３４４が停留部３２０と横並びになる位置を通過し、且つ左側振分部材３３０の球収容部３３２が許容位置を通り過ぎたタイミングで遊技球が停留部３２０に至った場合について説明する。
【０１０２】
停留部３２０に至った遊技球は、自重によって又は右側振分部材３４０の突起３４３に押されることによって左側振分部材３３０側に偏倚した位置に停留する。その後、両振分部材３３０，３４０の回動に伴って、左側振分部材３３０の突起３３３により右側振分部材３４０側に押される。これにより右側振分部材３４０側に偏倚した遊技球は、停留部３２０及び右側振分部材３４０の外周面３４０ａによって支えられた状態となる。その後、両振分部材３３０，３４０の回動が進むと、右側振分部材３４０の球収容部３４２の凹みに遊技球が入りはじめ、それに伴って同遊技球と左側振分部材３３０との隙間が広がることとなる。この際、左側振分部材３３０の磁石３３４も停留部３２０と横並びとなる位置に至るが、上述の如く遊技球と左側振分部材３３０との隙間が広がることにより磁石３３４の吸引力の及ぶ範囲を外れることで、同遊技球の左側振分部材３３０側への戻りが回避される。そして、遊技球は、更に両振分部材３３０，３４０の回動が進むことで右側振分部材３４０の球収容部３４２に嵌まり、第３供給経路３１７へ導かれることとなる。
【０１０３】
次に、遊技球の動きのパターンが停留部３２０に停留している遊技球に対して後続する遊技球が樋３１３に待機している場合について上記３つのパターンとの相違点を中心に説明する。
【０１０４】
図１５（ａ）に示したタイミングで遊技球が停留部３２０に至った場合には、停留部３２０上の遊技球の動きに目立った違いは無い。つまり、停留部３２０上の遊技球は、図１５（ａ）→図１５（ｂ）→図１５（ｃ）→図１５（ｄ）の順に移動し、左側振分部材３３０の球収容部３３２に収容された後、第２供給経路３１６に導かれる。
【０１０５】
一方、図１５（ａ）に示したタイミングよりも若干早いタイミング、詳しくは左側振分部材３３０の磁石３３４が停留部３２０に対して横並びとなる位置（すなわち停留部３２０の傍）を通過するタイミングで遊技球が停留部３２０に至った場合には、後続の遊技球が存在しないまま同タイミングで停留部３２０に至った遊技球の動きとは大きく異なることとなる。停留部３２０に至った遊技球は、左側振分部材３３０の磁石３３４によって一旦は捕捉されるものの、樋３１３に待機する後続の遊技球によって停留部３２０側に押さえつけられ、その後続の遊技球の重みが加わることで磁石３３４の吸引力に打ち勝つことが可能となる。これにより、第１供給経路３０１に導かれることなく、停留部３２０上に留まることとなる。その後、図１５（ａ）→図１５（ｂ）→図１５（ｃ）→図１５（ｄ）の順に移動し、左側振分部材３３０の球収容部３３２に収容された後、第２供給経路３１６に導かれる。つまり、本来であれば第１供給経路３０１に振り分けられるべきタイミングで停留部３２０に至っているものの、後続の遊技球の重みによりその行き先が変更され、第２供給経路３１６に振り分けられることとなる。
【０１０６】
また、例えば図１３に示すように、右側振分部材３４０の２つの磁石３４４が停留部３２０と横並びになる位置を通過し、且つ左側振分部材３３０の球収容部３３２が許容位置を通り過ぎたタイミングで遊技球が停留部３２０に至った場合の遊技球の動きについては、後続の遊技球が存在しないまま同タイミングで停留部３２０に至った遊技球の動きと基本的には同じであるがその確実性が増すこととなる。停留部３２０に至った遊技球は、上述の如く左側振分部材３３０側に偏倚した位置に停留する。その後、左側振分部材３３０の突起３３３により右側振分部材３４０側に押され、右側振分部材３４０側に偏倚する。その後、両振分部材３３０，３４０の回動が進むと、右側振分部材３４０の球収容部３４２の凹みに遊技球が入り始めるとともに、左側振分部材３３０の磁石３３４も停留部３２０と横並びとなる位置に至る。この際、後続する遊技球によって押されることで、停留部３２０上の遊技球は右側振分部材３４０側に付勢された状態となり、上記磁石３３４の吸引力に打ち勝ちやすくなる。これにより、遊技球はより確実に右側振分部材３４０の球収容部３４２に嵌まり、第３供給経路３１７へ振り分けられることとなる。つまり、遊技球の挙動が乱れる等して同遊技球が磁石３３４に捕捉され、第２供給経路３１６に振り分けられるといった展開の発生を回避し、後続の遊技球の助力によって、より確実に第３供給経路３１７への振り分けがなされることとなる。
【０１０７】
以上詳述した振分装置３００の下方には、上記入賞役物３５０が設けられており、上述した各供給経路３０１，３０２，３１６，３１７を通った遊技球は、同入賞役物３５０の異なる部位に導かれる。ここで、図９，図１１，図１６及び図１７に基づいて入賞役物３５０及びそれに付随する構成について説明する。図１６（ａ）は入賞役物３５０を上方から見た斜視図、図１６（ｂ）は入賞役物３５０の平面図、図１７は図９のＤ−Ｄ線部分断面図である。
【０１０８】
図９に示すように、入賞役物３５０は、ケース２６０の両側壁２６１，２６２に跨って設けられた平板状の載置部２８０に載置されており、鉛直方向に延びる軸線を中心とした回動が許容された状態で同載置部２８０に固定されている。入賞役物３５０にはモータ３６０（図１７参照）が接続されている。モータ３６０は、後述する主制御装置に対して電気的に接続されており、同主制御装置からの電気的な信号の出力によって駆動することで、入賞役物３５０が常時一定速度で同一方向に回動を続ける。なお、入賞役物３５０の回転速度及び回動方向は一定である必要はなく、遊技状況等に応じて変化させてもよい。
【０１０９】
入賞役物３５０は、自身の中心軸線方向に複数の段差が形成された厚肉の円盤状をなしている。より具体的には、入賞役物３５０は、上段部３５１，中段部３５２，下段部３５３の３つの段部を有してなり、上段部３５１の外径＜中段部３５２の外径＜下段部３５３の外径となるように形成されることで全体として上方に凸となっている（図１６（ａ）参照）。
【０１１０】
図９及び図１７に示すように、上述した載置部２８０には、下段部３５３に対応する凹部２８１が形成されており、この凹部２８１に対して同下段部３５３が嵌まった状態となっている。凹部２８１の深さ寸法は下段部３５３の厚み寸法よりも小さく設定されており、下段部３５３の一部が凹部２８１から張り出した状態となっている。
【０１１１】
図１６（ｂ）に示すように、凹部２８１の開口縁には、下段部３５３の縦壁に沿って起立する略円環状の内壁部２８２が形成されており、内壁部２８２よりも外側には同内壁部２８２に対して所定の間隔を隔てて対向する外壁部２８３が形成されている。これら両壁部２８２，２８３及び載置部２８０によって上記第１供給経路３０１，３０２の一部が構成されている。詳しくは、第１供給経路３０１，３０２は第１案内部３０３からケース２６０の側壁２６１，２６２に沿って上下に延びる縦通路と、両壁部２８２，２８３によって挟まれ載置部２８０に沿って延びる横通路とによって構成されている。
【０１１２】
載置部２８０において両壁部２８２，２８３によって挟まれている部分の上面は、パチンコ機１０の前方に緩やかに下り傾斜している。第１供給経路３０１，３０２の縦通路を通って載置部２８０上に至った遊技球は両壁部２８２，２８３に沿って横通路を前方に移動する。
【０１１３】
横通路において最も低位となっている載置部２８０の特定部分には、入賞役物３５０に向けて（すなわち後方に向けて）下り傾斜する溝部２８４が形成されている。内壁部２８２において溝部２８４の先側に位置する部分には、内外に貫通する陥欠部２８５が形成されており、この陥欠部２８５を介して、遊技球が入賞役物３５０に移動可能となっている。すなわち、この陥欠部２８５によって第１供給経路３０１の出口が構成されている。
【０１１４】
図１６（ａ）に示すように、入賞役物３５０の下段部３５３には、この陥欠部２８５に対応する複数（本実施の形態においては８つ）の入球部３５６が設けられている。各入球部３５６は、入賞役物３５０の周方向において等間隔となるように配列されており、内壁部２８２と対向する側及び上方に開放されているものと、内壁部２８２と対向する側及び上下に開放されているものとに大別される。すなわち、複数の入球部３５６のうち１つは無底となっており、他は有底となっている。
【０１１５】
下段部３５３の入球部３５６が陥欠部２８５と連なる位置に至った場合には、第１供給経路３０１を通って移動してきた遊技球の入球部３５６への移動が許容されることとなる。これにより、第１供給経路３０１を経由した遊技球が１／８の確率で無底の入球部３５６に入り、７／８の確率で有底の入球部３５６に入ることとなる。そして、一旦入球部３５６に入った遊技球は、入賞役物３５０の回動に伴って入球部３５６が移動し、同入球部３５６における内壁部２８２側の開放部分が凹部２８１の壁面及び内壁部２８２と対向する位置に至る。この場合、凹部２８１の壁面及び内壁部２８２によって、入球部３５６から第１供給経路３０１，３０２への遊技球の逆戻りが回避されることとなる。
【０１１６】
凹部２８１の底部において入球部３５６が通過する経路と重なる位置には、大当たり入賞口２８６が設けられている。大当たり入賞口２８６は、遊技球の通過を許容する孔状をなしており、無底の入球部３５６に入った遊技球は、当該入球部３５６と大当たり入賞口２８６とが連なった際に、同大当たり入賞口２８６に入る。大当たり入賞口２８６を通過した遊技球は所定の通路を通って入賞役物ユニット２５０の外部、詳しくは遊技盤８１の背側に案内された後、上記排出通路２３１を経由して島設備に返却されることとなる。また、大当たり入賞口２８６に入った遊技球を検出する大当たり入賞口検出センサ２８７が設けられており、この大当たり入賞口検出センサ２８７によって検出された情報が主制御装置１６２に出力される。
【０１１７】
また、内壁部２８２において、陥欠部２８５とは中心軸線を挟んで反対側となる位置には、排出口２８８が形成されている。排出口２８８についても陥欠部２８５と同様に内外に貫通しており、遊技球の通過を許容するように形成されている。有底の入球部３５６に入った遊技球は、排出口２８８と入球部３５６の開放部分とが連なった際に、同排出口２８８を通って入賞役物ユニット２５０の外部、詳しくは遊技盤８１の背側に排出され、その後、上記排出通路２３１を経由して島設備に返却される。
【０１１８】
下段部３５３の上面と対向する位置には、第２供給経路３１６の最下流部分が配置されている。第２供給経路３１６は入口３１６ａから出口３１６ｂに向けて前後に蛇行しながら下っており、その最下流部分には、中段部３５２の縦壁側に、詳しくは入賞役物３５０の中心軸線に向けて開放された出口３１６ｂが形成されている。出口３１６ｂは、中段部３５２の縦壁に対して僅かな隙を隔てて対向している。
【０１１９】
中段部３５２には、下段部３５３の入球部３５６に連なる連通部３５７が複数（本実施の形態においては４つ）形成されている。第２供給経路３１６の出口３１６ｂが、中段部３５２の縦壁によって塞がれている場合には、同出口３１６ｂからの遊技球の流出が阻止され、出口３１６ｂと連通部３５７が連なっている場合には、連通部３５７への遊技球の流入が許容される。複数の連通部３５７のうち１つは、有底の入球部３５６に連なっており、第２供給経路３１６を経由した遊技球は３／４の確率で有底の入球部３５６に入り、１／４の確率で無底の入球部３５６に入ることとなる。言い換えれば、入賞役物ユニット２５０に入った遊技球が第２供給経路３１６を経由して入賞役物３５０に至った場合には、１／４の確率で大当たりが発生することとなる。
【０１２０】
上段部３５１には、上方に開放された一条の溝部３５８が形成されており、更にその一端が有底の入球部３５６に向けて、他端が無底の入球部３５６に向けてそれぞれ開放されている。溝部３５８は、その中央部分が上記第３供給経路３１７の出口３１７ｂの真下に位置しており、出口３１７ｂから落下した遊技球は、溝部３５８に嵌まった後、入賞役物３５０の回動によって発生する遠心力で、有底及び無底の両入球部３５６のうちいずれか一方に向けて移動することとなる。第３供給経路３１７を経由した遊技球は１／２の確率で有底の入球部３５６に入り、同じく１／２の確率で無底の入球部３５６に入ることとなる。言い換えれば、入賞役物ユニット２５０に入った遊技球が第３供給経路３１７を経由して入賞役物３５０に至った場合には、１／２の確率で大当たりが発生することとなる。
【０１２１】
以上詳述した、入賞役物３５０においては、各供給経路３０１，３０２，３１６，３１７を通った遊技球が異なる確率で無底の入球部３５６に入ることにより、大当たりの発生確率を相違させている。なお、入賞役物３５０における入球部３５６の数や連通部３５７の数等は任意の変更してもよいが、このような変更を行う場合であっても各供給経路３０１，３０２，３１６，３１７を通った遊技球の当り確率は相違させることが望ましい。
【０１２２】
次に、パチンコ機１０の電気的構成について、図１８のブロック図に基づいて説明する。図１８では、電力の供給ラインを二重線矢印で示し、信号ラインを実線矢印で示す。
【０１２３】
主制御装置１６２に設けられた主制御基板４０１には、主制御回路４０２と停電監視回路４０３とが内蔵されている。主制御回路４０２には、ＭＰＵ４１１が搭載されている。ＭＰＵ４１１には、当該ＭＰＵ４１１により実行される各種の制御プログラムや固定値データを記憶したＲＯＭ４１２と、そのＲＯＭ４１２内に記憶される制御プログラムの実行に際して各種のデータ等を一時的に記憶するためのメモリであるＲＡＭ４１３と、割込回路やタイマ回路、データ入出力回路などの各種回路が内蔵されている。
【０１２４】
ＲＡＭ４１３は、パチンコ機１０の電源の遮断後においても電源・発射制御装置２４３に設けられた電源・発射制御基板４２１からデータ記憶保持用電力が供給されてデータが保持される構成となっている。
【０１２５】
ＭＰＵ４１１には、アドレスバス及びデータバスで構成されるバスラインを介して入出力ポートが接続されている。主制御回路４０２の入力側には、主制御基板４０１に設けられた停電監視回路４０３、払出制御装置２４２に設けられた払出制御基板４２２が接続されている。この場合に、停電監視回路４０３には電源・発射制御基板４２１が接続されており、主制御回路４０２には停電監視回路４０３を介して電力が供給される。更に、主制御回路４０２の入力側には、一般入賞口８２への遊技球の入球を検出する一般入賞口検出センサ８４、可変入賞装置８３内への遊技球の入球を検出する特別入賞口検出センサ８５、大当たり入賞口２８６への遊技球の入球を検出する大当たり入賞口検出センサ２８７が接続されている。
【０１２６】
一方、主制御回路４０２の出力側には、停電監視回路４０３，払出制御基板４２２及び中継端子板４２３が接続されている。払出制御基板４２２には、賞球コマンドなどといった各種コマンドが出力される。中継端子板４２３を介して主制御回路４０２から音声ランプ制御装置１４３に設けられた音声ランプ制御基板４２４に対して各種コマンドなどが出力される。更に、主制御回路４０２の出力側には、入賞役物ユニット２５０に設けられた各種モータ２７４，２７５，３３１，３４１及び可変入賞装置８３が接続されている。
【０１２７】
主制御回路４０２の出力側に接続されている停電監視回路４０３は、主制御回路４０２と電源・発射制御基板４２１とを中継し、また電源・発射制御基板４２１から出力される最大電源である直流安定２４ボルトの電源を監視する。
【０１２８】
払出制御基板４２２は、払出装置２２４により賞球や貸し球の払出制御を行うものである。演算装置であるＭＰＵ４３１は、そのＭＰＵ４３１により実行される制御プログラムや固定値データ等を記憶したＲＯＭ４３２と、ワークメモリ等として使用されるＲＡＭ４３３とを備えている。
【０１２９】
払出制御基板４２２のＲＡＭ４３３は、主制御回路４０２のＲＡＭ４１３と同様に、パチンコ機１０の電源の遮断後においても電源・発射制御基板４２１からデータ記憶保持用電力が供給されてデータが保持される構成となっている。
【０１３０】
払出制御基板４２２のＭＰＵ４３１には、アドレスバス及びデータバスで構成されるバスラインを介して入出力ポートが接続されている。払出制御基板４２２の入力側には、主制御回路４０２、電源・発射制御基板４２１、及び裏パック基板２２９が接続されている。また、払出制御基板４２２の出力側には、主制御回路４０２及び裏パック基板２２９が接続されている。
【０１３１】
電源・発射制御基板４２１は、電源部と発射制御部とを備えている。電源部は、二重線矢印で示す経路を通じて、主制御回路４０２や払出制御基板４２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１３２】
音声ランプ制御基板４２４は、各種ランプ部２３〜２５やスピーカ部２６を制御するものである。演算装置であるＭＰＵ４４１は、そのＭＰＵ４４１により実行される制御プログラムや固定値データ等を記憶したＲＯＭ４４２と、ワークメモリ等として使用されるＲＡＭ４４３とを備えている。
【０１３３】
音声ランプ制御基板４２４のＭＰＵ４４１にはアドレスバス及びデータバスで構成されるバスラインを介して入出力ポートが接続されている。音声ランプ制御基板４２４の入力側には中継端子板４２３に中継されて主制御回路４０２が接続されており、主制御回路４０２から出力される各種コマンドに基づいて、各種ランプ部２３〜２５及びスピーカ部２６を制御する。
【０１３４】
ここで、同図１８に基づき、パチンコ機１０において遊技が進行していく上での各種処理について簡単に説明する。
【０１３５】
遊技球発射機構１１０（図１３参照）によって発射された遊技球が一般入賞口８２（図６参照）に入賞すると、一般入賞口検出センサ８４から主制御装置１６２の主制御回路４０２に検知情報が出力される。
【０１３６】
主制御装置１６２のＭＰＵ４１１は、各種検知情報の有無を判定する判定処理を定期的に行っており、同確認処理にて一般入賞口検出センサ８４からの検知情報が存在すると判定した場合には、羽根部材２６５，２６６用の駆動モータに対して駆動信号の出力処理を行う。主制御装置１６２から出力された駆動信号に基づいて駆動モータが動作し、各羽根部材２６５，２６６が所定の期間だけ閉鎖位置から開放位置に切り換えられる。
【０１３７】
このように羽根部材２６５，２６６が開放されている期間中に、遊技領域ＰＥを流下する遊技球が入賞役物ユニット２５０に流入し、同遊技球が大当たり入賞口２８６に入賞した場合には、その検知情報が大当たり入賞口検出センサ２８７から主制御装置１６２の主制御回路４０２に出力される。
【０１３８】
主制御装置１６２のＭＰＵ４１１における上記判定処理において、大当たり入賞口検出センサ２８７からの検知情報が存在すると判定した場合には、通常遊技状態から大当たり遊技状態への移行処理を実行する。大当たり遊技状態においては、通常は閉鎖されている可変入装置８３を開放させる信号を出力する。この信号に基づいて，可変入賞装置８３が開放され、遊技球の流入が許容された状態となる。可変入賞装置８３を予め設定された回数開放した後は、大当たり遊技状態から通常遊技状態への移行処理を実行する。
【０１３９】
以上詳述した本実施の形態によれば、以下の優れた効果を奏する。
【０１４０】
入賞役物ユニット２５０に入った遊技球を複数の供給経路３０１，３０２，３１６，３１７に振り分けることで入賞役物３５０における異なる部分に到達させ、それら供給される位置の相違によって大当たりの発生確率を相違させる構成とした。これにより、遊技の単調化を抑制している。
【０１４１】
遊技球を異なる供給経路に振り分ける振分装置３００に案内された遊技球は、停留部３２０に停留し、振分部材３３０，３４０の動作に基づいて何れの供給経路３０１，３０２，３１６，３１７に振り分けられるかが決定される。このように振分部材３３０，３４０を動作させることで上記振分を行うことにより、例えば固定された振分部材に対して遊技球自らが積極的に移動することで振分を行う構成と比較して、注目すべき箇所を限定しやすくできる。これにより、遊技者の目に生じる負担を低減することが可能となっている。特に、振分部材３３０，３４０及び停留部３２０を近づけて配置することで、遊技球が意外な動きをした場合であっても、その動きを目で追いやすくしている。
【０１４２】
停留部３２０に停留している遊技球は各振分部材３３０，３４０に設けられた突起３３３，３４３や磁石３３４，３４４によって揺動する。このように遊技球の停留部３２０上での動きを許容することにより、各振分部材３３０，３４０の球収容部３３２，３４２への入球に意外性を付与することが可能となっている。詳しくは、停留部３２０に停留している遊技球は、球収容部３３２，３４２が遊技球の受け入れを許容する許容位置に達した場合に、必ずしもそれら球収容部３３２，３４２に入るわけではない。つまり、球収容部３３２，３４２は停留部３２０に停留している遊技球を横目に上記許容位置を素通りし得る。このように、遊技球の振分態様を多様化することにより、興趣向上を図っている。
【０１４３】
遊技球の動きの意外性を高めようとすれば、遊技球の動きを予測不能な構成を採用することが手っ取り早い方策であると考えられる。しかしながら、このような構成を採用した場合には、意外性を高めることは可能である反面、遊技球が振り分けられるまでの経過よりも、その振り分けの結果に対して注目が向きやすくなると想定される。これは、遊技球の動きを魅せるという目的に反することとなり好ましくない。
【０１４４】
この点、本実施の形態においては、振分部材３３０，３４０の球収容部３３２，３４２の変遷のみならず、突起３３３，３４３や磁石３３４，３４４の変遷によっても遊技球の振り分け態様が相違する構成とし、更には遊技球とそれら各種構成のとの位置関係を把握することで遊技球の動きを予測可能としている。これにより、遊技者は遊技球の振り分けの過程、すなわち停留部３２０上に遊技球が停留している状態においても同遊技球の振り分け結果をある程度予測することが可能となり、自身の予測に沿って遊技球が動くか否かを確かめるべく、遊技球の動き更には上記各種構成の動きに注目しやすくなると考えられる。故に、遊技球や上記各種構成の動きに対する注目度の向上に貢献できる。
【０１４５】
停留部３２０に停留している遊技球は、同停留部３２０の頂部３２１によって支えられた状態となっている。頂部３２１は前後に延びる線状をなしており、遊技球の中心が左右の振分部材３３０，３４０のいずれか一方によりやすくなっている。このように、遊技球の位置を何れか一方の振分部材３３０，３４０に寄せることで、同遊技球の動きを分かりやすくしている。
【０１４６】
また、停留部３２０上の遊技球は、停留部３２０の頂部３２１に支えられた状態で左右に揺動する、すなわち頂部３２１を支点として回動する。例えば両傾斜部３２２，３２３間で遊技球を転動させる構成と比較してそのストロークを小さくすることができ、同遊技球の動きの敏捷性（外力に対する応答性）を高めることが可能となっている。
【０１４７】
遊技球の動きが遊技者に対する利益・不利益を決定付ける点等に着目すれば、振り分け装置３００の誤作動の発生は極力回避すべきであると考えられる。この点、本実施の形態においては、各振分部材３３０，３４０の外周に突起３３３，３４３や磁石３３４，３４４が配されており、振分部材３３０，３４０の回動によって、それら突起３３３，３４３等の位置が変化する。このように、突起３３３，３４３等を動作させる構成を他の動作に併合させることで構造の煩雑化が抑制されている。これにより、上記誤動作等の発生を抑えることが可能となっている。
【０１４８】
また、磁石３３４，３４３を用いて遊技球を引き寄せるとともに、突起３３３，３４３を用いて遊技球を遠ざける構成としたことにより、遊技球の動きの単調化を抑制している。特に突起３３３，３４３は遊技球に対して触れることによって画一的に作用しやすい一方、磁石３３４，３４３は遊技球との相対距離によってその作用に違いが生じる。このように、遊技球に対する作用態様が相違するものを組み合せて用いることにより、遊技球の動きに意外性を付与しやすくしている。
【０１４９】
磁石３３４，３４３によって捕捉された遊技球が各振分部材３３０，３４０の回動に伴ってあたかも振分部材３３０，３４０の外周面３３０ａ，３４０ａに載った状態で移動する。一方、球収容部３３２，３４２に収容された遊技球は、振分部材３３０，３４０に嵌まり込んだ状態で移動する。このように遊技球の移動の態様を相違させることにより、遊技球の動きに意外性を付与しやすくしている。
【０１５０】
また、例えば振分部材を１つだけ有する構成とし、遊技球が同振分部材に対して近づいたり遠ざかったりする構成を採用すると、遊技者の注目は、遊技球の近づく側への移動に偏りやすくなると想定される。この点、本実施の形態においては停留部３２０の左右両側に振分部材３３０，３４０を配置することによって、遊技球の揺動（往復動）の何れの方向への移動にも注意を引きやすくすることが可能となっている。
【０１５１】
両振分部材３３０，３４０を回動させる構成としたことにより、それら振分部材３３０，３４０の動作領域の確保を容易なものとし、振分装置３００をコンパクトなものとしている。入賞役物３５０が遊技領域ＰＥに配置されるものであり、同遊技領域ＰＥが限られたものである点に着目すれば、振分装置３００の小型化は実用上好ましいと想定される。
【０１５２】
振分装置３００へと遊技球を案内する第２案内部３０４を有し、その第２案内部３０４に遊技球が待機している場合と、待機していない場合とで、停留部３２０に停留している遊技球の動きが相違する構成とした。これにより、停留部３２０に停留している遊技球の動きを更に多様化することが可能となっている。
【０１５３】
詳しくは、停留部３２０に停留している遊技球に後続する遊技球が、停留部３２０上の遊技球を上側から押える構成となっている。仮に停留部３２０上の遊技球が磁石３３４，３４４によって第１供給経路３０１，３０２に移動させられそうになっても、同遊技球の移動が後続の遊技球の重みによって妨げられることとなる。
【０１５４】
本実施の形態においては特に、第２案内部３０４に遊技球を待機させることで、遊技者は遊技を有利に運ぶことが可能となる。これにより、より多くの遊技球を入賞役物ユニット２５０内に送り込むべく遊技球発射ハンドル４１の操作が行われると想定され、遊技者の遊技意欲を高めることが可能となる。
【０１５５】
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０１５６】
（ａ）上記実施の形態では、遊技球を「停留部」上で動かす構成を、振分装置３００に適用した。すなわち、入賞役物３５０への複数の供給経路に対して遊技球を振り分ける構成において、遊技球を揺動させる構成とした。これを変更し、大当たり又は非大当たりを決定する構成に適用することも可能である。
【０１５７】
例えば、右側振分部材３４０の球収容部３４２に遊技球が入った場合に大当たりとし、左側振分部材３３０の球収容部３３２に遊技球が入った場合又は磁石３３４，３４４によって遊技球が第１案内部３０３に送られた場合にハズレとすることも可能である。
【０１５８】
（ｂ）上記実施の形態では、「可動部材」としての両振分部材３３０，３４０が回動する構成としたが、振分部材がスライド移動する構成としてもよい。以下、図１９（ａ）に基づきその具体例について説明する。図１９（ａ）は振分部材の概略図である。
【０１５９】
一対の振分部材５０１，５０２は停留部５０３を挟んで対向する板状をなしており、上下にスライド移動可能に設けられている。両振分部材５０１，５０２の板厚寸法は遊技球の直径寸法よりも大きく設定されており、それら振分部材５０１，５０２には、自身の板厚方向に貫通し、停留部５０３に停留している遊技球を受入可能な球収容部５０４，５０５が形成されている。球収容部５０４，５０５は、振分部材５０１，５０２の上下動によって遊技球の受け入れを許容する位置と許容しない位置とに移動する。各振分部材５０１，５０２において停留部５０３と反対側には、遊技球を入賞役物に供給する供給経路５０６，５０７が設けられており、球収容部５０４，５０５が上記許容しない位置に移動した場合に球収容部５０４，５０５から供給経路５０６，５０７へと遊技球が移動する。
【０１６０】
また、各振分部材５０１，５０２における停留部５０３側の板面には、停留部５０３側に突出する突起５０８，５０９が形成されている。各振分部材５０１，５０２が上下動することにより、それら突起５０８，５０９が移動し停留部５０３上に停留している遊技球と当たる。突起５０８，５０９は、先細り状をなすとともに、斜め上方を向く上側傾斜面と斜め下方を向く下側傾斜面とを有してなる。各振分部材５０１，５０２の上下動に基づきそれら傾斜面によって押された遊技球は、反対側の振分部材に向けて移動することとなる。
【０１６１】
（ｃ）上記実施の形態では、停留部３２０の頂部３２１が線状をなす構成としたが、これを変更し、停留部の頂部が点状又は平面状をなす構成としてもよい。
【０１６２】
また、停留部３２０上に停留する遊技球の個数は１個に限定されるものではなく、複数とすることも可能である。
【０１６３】
更には、停留部３２０の頂部３２１に載った遊技球が、両振分部材３３０，３４０側に傾くことにより揺動する構成としたが、これを変更し、停留部３２０に載った遊技球が、左側の傾斜部３２２によって支持される位置と右側の傾斜部３２３によって支持される位置との両位置間を行き来することで揺動する構成としてもよい。
【０１６４】
（ｄ）上記実施の形態では、パチンコ機１０の正面視において左側振分部材３３０を反時計回り、右側振分部材３４０を時計回りに回動させる構成としたが、これら振分部材３３０，３４０の回動方向は任意である。例えば、両振分部材３３０，３４０の回動方向を統一することも可能である。しかしながら、停留部３２０に対して遊技球が載っており、突起３３３，３４３によって遊技球を移動させる点に着目すれば、それら突起３３３，３４３が遊技球に対して上方から近づく構成を採用することで遊技球と突起３３３，３４３とのつかえが発生しやすくなると想定され、更には磁石３３４，３４４を用いて遊技球を停留部３２０から引き離すことも困難になると想定される。故に、好ましくは両振分部材３３０，３４０の回動方向は、突起３３３，３４３が遊技球に対して下側から当たるように規定するとよい。
【０１６５】
（ｅ）上記実施の形態では、両振分部材３３０，３４０の回動速度を同一としたが、これら振分部材３３０，３４０の回動速度を相違させることも可能である。これにより、停留部３２０上での遊技球の動きを更に多様化させることができる。
【０１６６】
特に、上記実施の形態では、両振分部材３３０，３４０の回動速度が同一であることを前提として突起３３３，３４３の配列を工夫することにより遊技球が左側振分部材３３０側に寄りやすくしたが、それら振分部材３３０，３４０の回動速度を遊技球が左側振分部材３３０側に寄りやすくなるように設定してもよい。なお、遊技球が左側振分部材３３０側ではなく右側振分部材３４０側に寄りやすい構成とすることも可能である。
【０１６７】
また、両振分部材３３０，３４０の回動速度を相違させ、それら両振分部材３３０，３４０がそれぞれ所定の回数回転する毎に回動位置のずれがなくなるように初期位置復帰のタイミングを同期させることも可能である。例えば、一方の振分部材の回動速度を他方の振分部材の回動速度の１／３とすれば、一方の振分部材が３回転する間に、他方の振分部材は１回転することとなる。この際、例えば回動速度の速い一方を基準として１回転目は遊技者にとって有利な期間（つまり遊技球が右側振分部材３４０の球収容部３４２に入りやすい期間）、２回転目は１回転目よりも若干不利な期間（つまり遊技球が左側振分部材３３０の球収容部３３２に入りやすい期間）、３回転目は２回転目よりも更に不利な期間（つまり遊技球が磁石３３４，３４４によって補足されやすい期間）となるように設定するとよい。これにより、構造の煩雑化及制御の煩雑化を抑えつつ、遊技球の振分態様を多様化することができる。
【０１６８】
因みに、各振分部材３３０，３４０の回動速度は一定である必要はない。例えば、任意のタイミングで速くしたり遅くしたり、更には一旦停止させたりすることも可能である。
【０１６９】
（ｆ）上記実施の形態では、左側振分部材３３０の突起３３３と右側振分部材３４０の突起３４３との一方が遊技球に当たっている場合に他方が同遊技球に対して当たることにより、遊技球を停留部３２０から僅かに持ち上げ可能な構成としたが、これに限定されるものではない。左側振分部材３３０の突起３３３と右側振分部材３４０の突起３４３との一方が遊技球に当たっている場合に他方が同遊技球に対して当たらない構成とすることも可能である。例えば、突起３３３，３４３の突出量や配置を変更することにより上記変更を実現してもよいし、両振分部材３３０，３４０の回動速度を変化させることにより実現してもよい。
【０１７０】
（ｇ）上記実施の形態では、「可動部材」としての振分部材を２つ有する構成としたが、その数は２つに限定されるものではない。例えば、「可動部材」を１つだけ有する構成としてもよい。以下、図１９（ｂ）に基づき上記実施の形態からの変更点を中心に具体例について説明する。
【０１７１】
図１９（ｂ）に示すように、本変形例においては右側振分部材３４０が省略されており、振分部材５１１と停留部５１２とが左右に並設されている。停留部５１２の上面は、振分部材５１１に向けて下っているとともに、停留部５１２上に停留している遊技球の転動を許容する幅を有している。この傾斜によって、停留部５１２上に停留している遊技球は、振分部材５１１側に付勢された状態となる。
【０１７２】
振分部材５１１が回動し、同振分部材５１１の突起によって遊技球が押されると、同遊技球は上記付勢力に抗して振分部材５１１から離れる側に移動し、その後自重によって振分部材５１１側に戻る。このような遊技球の移動が許容されている変形例においても同様に、同遊技球が振分部材５１１に寄っている際に、タイミングよく球収容部５１４が遊技球の受け入れを許容する位置に至ることで、遊技球が停留部５１２から振分部材５１１に移ることとなる。
【０１７３】
なお、停留部５１２の上面において最も上位となる部分には、上方に起立する球ストッパ５１５が形成されている。振分部材５１１の突起５１３によって遊技球が押され同遊技球が停留部５１２の上面に沿って移動した場合には、この球ストッパ５１５によって遊技球の零れが阻止される。
【０１７４】
また、上記実施の形態では、「作用部」としての突起や磁石を「可動部材」としての振分部材に付与する構成としたが、それら「作用部」は必ずしも「可動部材」に付与する必要はない。以下、図１９（ｃ）に基づき上記実施の形態からの変更点を中心に具体例について説明する。
【０１７５】
図１９（ｃ）に示すように、上記実施の形態における左側振分部材３３０の球収容部３３２が省略されることで簡素化された回転体５２１と、右側振分部材３４０の突起３４３および磁石３４４が省略されることで簡素化された振分部材５２２とが停留部５２３を挟んで左右に並設されている。停留部５２３の上面は振分部材５２２側から回転体５２１に向けて緩やかに下り傾斜しており、停留部５２３上に停留している遊技球が回転体５２１側に付勢された状態となりやすくなっている。
【０１７６】
回転体５２１の突起５２４によって押された遊技球は、停留部５２３の上面を上記付勢力に抗して上り振分部材５２２に向けて移動する。この際、遊技球が停留部５２３を上りきったタイミングで、振分部材５２２の球収容部５２５が遊技球の受け入れを許容する位置に存在していれば、遊技球は球収容部５２５に入ることとなる。
【０１７７】
（ｈ）上記実施の形態では、両振分部材３３０，３４０の球収容部３３２，３４２が遊技球の受け入れを許容する許容位置に異なるタイミングで至る構成としたが、両者が同じタイミングで許容位置に至る構成としてもよい。
【０１７８】
また、各振分部材３３０，３４０の突起３３３，３４３が異なるタイミングで停留部３２０の傍を通過する構成としたが、両突起３３３，３４３のうち一部の組み合わせにおいては同じタイミングで停留部３２の傍を通過する構成とすることも可能である。例えば、各振分部材３３０，３４０の球収容部３３２，３４２が上記許容位置を通過する直前に両突起３３３，３４３を同時に通過させれば、遊技球がそれら両突起３３３，３４３によって持ち上げられた後、停留部３２０の頂部３２１に落下しやすくなる。頂部３２１上に落下した遊技球の動きは画一的なものではなく、両球収容部３３２，３４２に何れに対しても入り得ることとなる。これにより、遊技球の動きに意外性を付与しやすくできる。
【０１７９】
（ｉ）上記実施の形態では、各振分部材３３０，３４０の磁石３３４，３４４が同振分部材３３０，３４０の外周面３３０ａ，３４０ａから僅かに突出する構成としたが、磁石の３３４，３４４の突出量は任意である。例えば、各磁石３３４，３４４を完全に埋没させ、外周面３３０ａ，３４０ａからの突出量を０とすることも可能である。
【０１８０】
また、磁石３３４，３４４の吸引力（磁力）は、必ずしも捕捉した遊技球を停留部３２０から持ち上げる強さとなるように設定する必要はない。例えば、磁石３３４，３４４によって遊技球が捕捉されている場合に、球収容部３３２，３４２に向けての同遊技球の移動を阻止可能となる程度の強さに設定されていればよい。
【０１８１】
なお、磁石３３４，３４４に代えて、電磁石を用いる構成としてもよい。
【０１８２】
（ｊ）上記実施の形態では、停留部３２０上の遊技球に対して後続する遊技球が第２案内部３０４に待機している場合に、停留部３２０上の遊技球が磁石３３４，３４４によって持ち上げられにくくした。これを変更し、停留部３２０上の遊技球に対して後続する遊技球が第２案内部３０４に待機している場合に、第１供給経路３０１，３０２への遊技球の移動を不可とする構成としてもよい。例えば、停留部３２０上の遊技球に後続している遊技球の上方への移動を阻止するストッパ部を設けるとよい。
【０１８３】
また、第２案内部３０４に後続の遊技球が待機している場合に、第１供給経路３０１，３０２への遊技球の移動を抑制する構成としたが、同第１供給経路３０１，３０２に加え第２供給経路３１６への遊技球の移動を抑制する構成とすることも可能である。以下、図１９（ｄ）に基づきその具体例について説明する。図１９（ｄ）は、第２案内部の変形例を示す概略図である。
【０１８４】
図１９（ｄ）に示すように、第２案内部５３１の溝部５３２は停留部３２０よりも左側振分部材３３０側に偏倚して設けられている。このように、溝部５３２を左側にずらすことで、第２案内部５３１に待機する遊技球Ｂ６が停留部３２０上に載っている遊技球Ｂ７に対して左側から当接することとなる。より詳しくは、遊技球Ｂ６の中心と遊技球Ｂ７の中心とを通過する仮想直線ＰＬ６が停留部３２０の頂部３２１よりも右側を通過するように、溝部５３２が形成されている。これにより、後続の遊技球Ｂ６によって停留部３２０上の遊技球Ｂ７が右側に押されることとなり、同遊技球Ｂ７が右側振分部材３４０側に付勢された状態となる。このため、右側振分部材３４０の突起３４３によって遊技球Ｂ７が左側振分部材３３０側に押しやられた場合であっても、突起３４３が通り過ぎた後に後続の遊技球Ｂ６の付勢力によって右側振分部材３４０側に押し戻されることとなる。これにより、停留部３２０上の遊技球は右側振分部材３４０の球収容部３４２に入りやすくなっている。
【０１８５】
なお、第２案内部３０４に後続の遊技球が待機している場合に、遊技者にとって有利な状況となる構成を変更し、第２案内部３０４に後続の遊技球が待機している場合に、遊技者にとって不利な状況となる構成とすることも可能である。例えば、上記第２案内部の変形例を更に変更し第２案内部に待機している遊技球が停留部３２０上の遊技球に対して右側振分部材３４０側から当接する構成とすればよい。
【０１８６】
（ｋ）上記実施の形態では、第２案内部３０４に遊技球が１つ待機することにより、各振分部材３３０，３４０の磁石３３４，３４４の磁力よって停留部３２０上の遊技球が引き上げられる力よりも、遊技球を停留部３２０に向けて押す力の方が勝る構成としたが、これを以下のように変更してもよい。すなわち、第２案内部３０４に複数個の遊技球が待機することにより、各振分部材３３０，３４０の磁石３３４，３４４の磁力によって停留部３２０上の遊技球が引き上げられる力よりも、遊技球を停留部３２０に向けて押す力の方が勝る構成としてもよい。
【０１８７】
（ｌ）左右の振分部材３３０，３４０に設けられた球収容部３３２，３４２、突起３３３，３４３、磁石３３４，３４４の数は任意であり、必ずしも両振分部材３３０，３４０で数を相違させる必要はない。
【０１８８】
（ｍ）上記実施の形態では、一対の振分部材３３０，３４０を左右に配置したが、これら振分部材３３０，３４０の配置を前後又は上下に配置することも可能である。但し、一対の振分部材を前後に配置した場合には両振分部材間での遊技球の動きが見えにくくなると想定され、上下に配置した場合には遊技球の動かすための構成が複雑化しやすいと考えられる。故に、好ましくは本実施の形態に示したように一対の振分部材３３０，３４０を左右に配置するとよい。
【０１８９】
（ｎ）上記実施の形態では、各供給経路３０１（３０２），３１６，３１７を通った遊技球が、入賞役物３５０における異なる箇所に供給される構成としたが、これを変更し、入賞役物３５０における同一箇所に供給される構成としてもよい。但し、この場合、各供給経路３０１（３０２），３１６，３１７に遊技球を振り分ける意義が薄れてしまう。故に、上記変更を行う場合には併せて以下の変更を行うとよい。つまり、各供給経路３０１（３０２），３１６，３１７を通った遊技球が入賞役物に到達するタイミングを相違させ、各供給経路３０１（３０２），３１６，３１７にて優位性に差を生じさせるとよい。より具体的には、各供給経路３０１（３０２），３１６，３１７の通路長を第１供給経路３０１（３０２）＜第２供給経路３１６＜第３供給経路３１７となるように設定するとともに、一般入賞口８２へ入球した場合に、入賞役物３５０が常に同じ状態から回動を開始する構成とし、入賞役物３５０へ遊技球が供給されるタイミングが遅くなればなるほど大当たり用の入球部３５６に遊技球が入りやすくなる構成とするとよい。
【０１９０】
（ｏ）上記実施の形態では、各振分部材３３０，３４０が動作することにより、「球受入部」としての球収容部が遊技球の受け入れを許容する位置と、許容しない位置とに切り替わる構成としたが、これを以下のように変更してもよい。すなわち、振分部材を遊技球の受け入れを許容する状態で固定し、同振分部材への受け入れを許可する位置と阻止する位置とに切り替え可能に設けられたシャッタを別途備える構成としてもよい。
【０１９１】
なお、「球受入部」として遊技球を一時的に収容する球収容部を採用する必要は必ずしもない。例えば、遊技球の通過を許可する位置と通過を阻止する位置とに切り換えられるゲート部を「球受入部」として採用することも可能である。
【０１９２】
（ｐ）上記実施の形態では、停留部３２０によって遊技球を下側から支える構成としたが、これに限定されるものではない。例えば、停留部に磁力を付与し、当該停留部によって遊技球を吊り下げる構成としてもよい。
【０１９３】
（ｑ）上記実施の形態では、可変入賞装置８３を有する構成としたが、これを省略することも可能である。この場合、例えば羽根部材２６５，２６６を開放させることで入賞役物ユニット２５０内への遊技球の入球頻度を上げるとともに、入賞役物ユニット２５０への入球に応じて予め定められた個数の遊技球を払い出す構成としてもよい。
【０１９４】
（ｒ）上記実施の形態では、右側振分部材３４０の突起３４３を全て同一形状としたが、これに限定されるものではなく、各突起３４３の形状を相違させてもよい。例えば、右側振分部材３４０の周方向における長さ寸法が相違する突起を並設することも可能である。なお、左側振分部材３３０に対して同様の変更を行うことも可能である。
【０１９５】
（ｓ）上記実施の形態とは異なる他のタイプのパチンコ機等、例えば他の役物を備えたパチンコ機、アレンジボール機、雀球等の遊技機にも、本発明を適用できる。
【０１９６】
例えば、作動口への入賞をトリガとして図柄を可変表示する絵柄表示装置を有し、その絵柄表示装置の前方に遊技球が転動するステージを有する遊技機においては、そのステージに対して、本発明（振分装置）を適用してもよい。この場合、振分装置によって、例えば作動口に入りやすい位置と、入りにくい位置とに遊技球を振り分ける構成にするとよい。
【０１９７】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１９８】
なお、以下の特徴群は、「遊技機の一種であるパチンコ機では、例えば、遊技に際して遊技球が打ち出されることとなる遊技領域に入賞口等を備えたものが知られている。遊技者により遊技球発射ハンドルが操作されると遊技球が遊技領域に向けて発射され、発射された遊技球が入賞口等に入賞すると、それに伴い所定個数の遊技球が払い出される。このような、パチンコ機においては、遊技領域に釘や風車等を配設することにより、遊技球の流下経路を分散させ、遊技球の動きを多様化させることで同遊技球の動きへの注目度を高めているものがある（例えば、特許文献１参照）。また、遊技領域において区画された所定の空間内へ遊技球が入った場合にその遊技球を大当たり用の入球部とハズレ用の入球部とに振り分ける振分機構等を設け、遊技球の動きによって有利不利の差を生じさせることにより同遊技球の動きに対する注目度を高めやすくしているものもある（例えば、特許文献２参照）。」という背景技術について、「ここで、遊技球に対する注目度を高めるには遊技球の動きに意外性を与えることが好ましく、そのような意外性の付与については未だ改善の余地がある。」という発明が解決しようとする課題をもってなされたものである。
【０１９９】
特徴Ａ１．遊技球が流下する遊技領域（遊技領域ＰＥ）が設けられた遊技盤（遊技盤８１）と、
前記遊技領域を流下する複数の遊技球のうち少なくとも一部の遊技球を停留させる停留部（停留部３２０）と、
前記停留部に停留している遊技球を受け入れる球受入部（球収容部３３２，３４２）を有し、その球受入部による遊技球の受け入れを許容する許容状態、及び同球受入部による遊技球の受け入れを許容しない非許容状態とに切替可能に設けられている受入手段（振分部材３３０，３４０）と、
前記受入手段が前記非許容状態である状況において前記停留部に遊技球が停留した場合に、前記受入手段が前記非許容状態から前記許容状態に切り替えられるまでの間に、前記停留部に停留している遊技球の前記球受入部による受け入れを、容易な状態から困難な状態にする若しくは困難な状態から容易な状態にする、又は前記停留部に停留している遊技球を同停留部から離間させることで前記球受入部による遊技球の受け入れを不可能な状態にする作用部（突起３３３，３４３や磁石３３４，３４４）と
を備えていることを特徴とする遊技機。
【０２００】
特徴Ａ１によれば、受入手段の状態の変化のみならず作用部の作用によって、停留部に停留中の遊技球の受け入れの状態に変化を与えることができる。これにより、停留部に停留している遊技球の受け入れパターンを多様化でき、遊技球の動きに意外性を付与しやすくできる。更には、注目すべき点が受入手段の状態の変化のみならず作用部による遊技球の受け入れ状態の変化にまで及ぶ。そのような状態の変化の中に遊技球を留めることで、遊技球の挙動に対する注目度を高めやすくできる。
【０２０１】
なお、「遊技球を停留させる」とは、遊技球の流れを一時的に停滞させることを示す。つまり、必ずしも遊技球を停止させる必要はなく、同遊技球の揺動を許容することを含む。因みに、「遊技球を停留させる」を「遊技球を待機させる」と置き換えることも可能である。
【０２０２】
特徴Ａ２．前記停留部は、当該停留部に停留している遊技球の前記球受入部による受け入れが容易な特定位置及び当該特定位置とは異なる非特定位置の両位置を含んだ範囲での遊技球の移動を許容する幅を有しており、
前記作用部は、前記受入手段が前記非許容状態から前記許容状態に切り替えられるまでの間に、前記停留部に停留している遊技球を前記特定位置から前記非特定位置に移動させる又は前記非特定位置から前記特定位置に移動させるものであることを特徴とするＡ１に記載の遊技機。
【０２０３】
特徴Ａ２によれば、停留部に停留している遊技球を作用部によって移動させることで受け入れ容易な状態と受け入れ困難な状態とを作り出し、遊技球の挙動に対する注目度を更に高めやすくすることができる。
【０２０４】
特徴Ａ３．前記停留部は、遊技球に対して下側から当接するとともに、前記受入手段に近づく側及び当該受入手段から遠ざかる側の少なくとも何れかに同遊技球が付勢された状態となるように支持するものであり、
前記作用部は、遊技球を前記付勢力に抗し前記停留部上にて移動させるものであることを特徴とするＡ１又はＡ２に記載の遊技機。
【０２０５】
例えば停留部にて停留可能な（静止可能な）遊技球の位置が無数に存在すると、停留中の遊技球の位置が遊技者にとって有利な位置なのかそれとも不利な位置なのか分かりにくくなり得る。これは、遊技球の動きを予測しにくくし、ひいては遊技球の動きに対する注目度を低下させる要因となり得るため好ましくない。
【０２０６】
この点、本特徴によれば、遊技球が、受入手段に近づく側及び受入手段から遠ざかる側の少なくとも何れかに付勢された状態となることで、遊技球の停留位置のばらつきを抑制できる。これにより、停留中の遊技球がどのような状況に置かれているのかを分かりやすくし、遊技球の動きに対する注目度の向上に貢献できる。
【０２０７】
なお、付勢力と作用部の作用とによって遊技球を動かすことが可能である。これを利用して例えば遊技球を往復動させる構成とすることにより、遊技球の動きの多様化を実現できる。
【０２０８】
特徴Ａ４．前記受入手段は、前記停留部に停留している遊技球に対して同遊技球の付勢方向の先側から当接することにより同遊技球の前記停留部からの脱落を阻止可能となる位置に配されていることを特徴とするＡ３に記載の遊技機。
【０２０９】
特徴Ａ３に示したように停留部によって遊技球を付勢された状態で支持する構成においては、同遊技球の停留部からの脱落等を阻止するための構成が必要になり得る。この点、本特徴に示すように、受入手段をその停留部に停留している遊技球に対して当接可能となる位置に配することで同遊技球の脱落等を阻止する構成とすれば、構成の煩雑化を抑制でき、実用上好ましい構成を実現できる。
【０２１０】
特徴Ａ５．前記停留部は、自身の上面（頂部３２１及び傾斜部３２２，３２３）に載っている遊技球を下側から支持するものであり、
前記停留部の上面には、前記受入手段側に下る傾斜面（傾斜部３２２，３２３）が形成されており、
前記作用部は、前記停留部に停留している遊技球を前記傾斜面の下流側から当該傾斜面の上流側に移動させるものであることを特徴とするＡ３又はＡ４に記載の遊技機。
【０２１１】
特徴Ａ５によれば、停留部上に停留している遊技球は傾斜に沿って受入手段側に移動することで受入手段の球受入部に受け入れられたり、作用部によって受入手段から遠ざけられることにより球受入部に受け入れられにくくなったりする。このように停留部の傾斜面及び作用部を利用して遊技球を移動させる構成とすることにより、特徴Ａ３に示した構成を好適に実現できる。
【０２１２】
特徴Ａ６．前記停留部は、自身の上面（頂部３２１及び傾斜部３２２，３２３）に載っている遊技球を下側から支持するものであり、
前記停留部の上面には、前記受入手段側に下る第１傾斜面と、同受入手段とは反対側に下る第２傾斜面（傾斜部３２２，３２３）とが形成されており、
前記作用部は、前記停留部に停留している遊技球を、前記停留部において前記第２傾斜面側から前記第１傾斜面側に移動させるものであることを特徴とするＡ３又はＡ４に記載の遊技機。
【０２１３】
特徴Ａ６によれば、停留部に停留している遊技球は、両傾斜面のうち何れの側に寄っているかによって、その挙動に差違が生じる。つまり、第１傾斜面段側に寄っている場合には、同第１傾斜面に沿って受入手段側に移動され、第２傾斜面側に寄っている場合には、作用部によって受入手段側に移動される。つまり、同じ停留部に停留している遊技球であっても、受入手段側への移動経路や移動のタイミングを相違させやすくできる。これにより、停留部上での遊技球の動きに意外性を付与しやすくできる。
【０２１４】
特徴Ａ７．前記作用部は、前記停留部を挟んで前記受入手段と反対側から同受入手段側に遊技球を移動させるものであることを特徴とするＡ１乃至Ａ６のいずれか１つに記載の遊技機。
【０２１５】
注目の対象となり得る部分が、作用部及び遊技球の関係と受入手段及び遊技球の関係とにある構成においては、本特徴に示すように作用部によって遊技球を案内手段側に移動させる構成とすることで、それぞれの関係を把握しやすくできる。特に特徴Ａ２等との組み合わせにおいては、遊技球の動きの分かりやすさを向上しつつ、同遊技球の動きの意外性を高めることができる。
【０２１６】
特徴Ａ８．前記受入手段は、動作可能に設けられている可動部材を有するとともに、当該可動部材の動作によって前記許容状態と前記非許容状態との切り替えを行うものであり、
前記作用部は、前記可動部材の動作に伴って移動するものであることを特徴とするＡ１乃至Ａ７のいずれか１つに記載の遊技機。
【０２１７】
特徴Ａ８によれば、可動部材の動作に伴って作用部が移動する。このように作用部を可動部材の動作（許容状態と非許容状態との切替）に伴って移動させる構成とすることにより、可動部材及び作用部を駆動させるための動力源を共有化することが可能となる。故に、遊技球への注目度を高める構成を採用しつつ、それに起因する構成の煩雑化を抑制することができる。
【０２１８】
なお、作用部が可動部材の動作に伴って移動し停留部に停留している遊技球に対して当たることにより、同遊技球を移動させる構成とするとよい。この場合、例えば作用部を前記可動部材に設けることにより構成の簡素化を促進できる。
【０２１９】
特徴Ａ９．前記球受入部及び前記作用部は、前記可動部材に設けられているとともに、当該可動部材の移動方向に沿って配置されていることを特徴とするＡ８に記載の遊技機。
【０２２０】
遊技球の動きに意外性を付与しようとした場合、例えば遊技球の動きを予測不能としたり、何が受け入れにとって有利であるかまた不利であるかを判別不能とする構成が採用され得る。しかしながら、このような構成では、遊技者の注目が遊技球の動きに向けられず、遊技球が移動した結果に向けられやすくなると想定され、遊技球の動きの意外性を高めることによって興趣向上を図るという目的にそぐわないと考えられる。
【０２２１】
この点、本特徴によれば、可動部材の動作に伴って球受入部及び作用部が同じような経路を通って移動することとなる。これにより遊技球の受け入れがなされやすいタイミングや受け入れがなされにくいタイミングを予測することが可能となり、上述した遊技球の動きが予測不能な構成と比較して、遊技球の動きに対する注目度を高めやすくできる。
【０２２２】
特徴Ａ１０．前記可動部材は回動可能に設けられており、
前記球受入部及び前記作用部は、当該可動部材の回動方向に沿って配置されていることを特徴とするＡ８に記載の遊技機。
【０２２３】
特徴Ａ８に示した構成を実現する場合、可動部材が特定方向にスライド移動する構成を採用することも可能である。しかしながら、可動部材がスライドする構成においては、同可能部材の動作領域が無駄に大きくなると想定される。この点、本特徴によれば、可動部材を回動させる構成とし、更にその回動方向に沿って球受入部及び作用部を配置することで動作領域の拡がりを抑えることができる。故に、遊技球の移動に関する構成をコンパクトなものとすることが可能となる。
【０２２４】
なお、本特徴に作用部が遊技球に対して当たることにより同遊技球を押す構成を適用した場合には、可動部材を回動式とすることによる更なるメリットを享受できる。仮に可動部材がスライド可能に設けられている構成を採用した場合、可動部材を往復動させることにより作用部を元の位置に復帰させることが可能となる。しかしながらその反面、以下の制限が生じやすくなると懸念される。具体的には、作用部が遊技球を押す方向が往路と復路で異なると想定され、これは停留部上に停留している遊技球と作用部との支えを回避しにくくなる要因となり得る。このような支えを回避しようとすれば、作用部及び停留部の配置及び形状に制限が生じやすくなると想定される。この点、上述したように可動部材を回動させる構成を採用することにより、同可動部材の動作方向を反転させることなく作用部を元の位置に戻すことが可能となる。このため、作用部が遊技球を押す方向を１に規定でき、上述した遊技球の支えを好適に抑制できる。故に、作用部や停留部の配置及び形状に対する制限を緩和しつつ、作用部を用いた遊技球の移動を繰り返し実行させやすくすることができる。
【０２２５】
特徴Ａ１１．動作可能に設けられているとともに、前記停留部を挟んで配置されている１組の可動部材（左側振分部材３３０や右側振分部材３４０）を備え、
前記両可動部材のうち少なくとも一方は、前記受入手段を構成し、
前記両可動部材のうち少なくとも他方は、前記作用部を備えていることを特徴とするＡ１乃至Ａ１０のいずれか１つに記載の遊技機。
【０２２６】
注目の対象となり得る部分が、作用部及び遊技球の関係と受入手段及び遊技球の関係とにある構成においては、本特徴に示すように停留部を作用部及び受入手段の間に配置することで、それぞれの関係を把握しやすくできる。特に、左右の可動部材の少なくとも一方に球受入部を設け、少なくとも他方に作用部を設けることにより、遊技球の受け入れ状態の変化を多様化できるとともに、両可動部材の動きと見比べることで、停留中の遊技球の動きを予測しやすくできる。これにより、遊技球の受け入れの可否（結果）のみならず、同遊技球の受け入れの可否が決まるまでの経過に対しても注目を集めやすくできる。
【０２２７】
なお、例えば両可動部材を左右に並べて配置するとよい。これにより、遊技球の挙動を見やすくすることができ、上述した遊技球に対する注目度を高めるという効果を顕著なものとすることができる。
【０２２８】
特徴Ａ１２．前記停留部は、自身の上面（頂部３２１及び傾斜部３２２，３２３）に載っている遊技球を下側から支持するものであり、
前記停留部の上面には、前記両可動部材の少なくとも一方に下る傾斜面（傾斜部３２２，３２３）が形成されており、
当該可動部材は、その外周部が前記停留部に停留している遊技球に対して当接することにより同遊技球の停留部からの脱落を阻止可能となる位置に配されていることを特徴とするＡ１１に記載の遊技機。
【０２２９】
特徴Ａ１２によれば、停留部が少なくとも一方の可動部材に下る傾斜面を有することにより、作用部の作用による遊技球の移動のみならず、付勢力による遊技球の移動が可能となる。例えば、作用部の作用によって他の可動部材側（球受入部側）に移動された遊技球を、上記付勢力によって元の可動部材側に戻すことが可能である。このように、遊技球の往復動（例えば揺動）を可能とすることで、同遊技球の動きの多様化に貢献できる。
【０２３０】
また、遊技球を停留部の傾斜面に沿って移動させる構成においては、同遊技球の脱落等を阻止するための構成が必要になり得る。この点、本特徴に示すように、可動部材をその外周部が前記停留部に停留している遊技球に対して当接可能となる位置に配することで同遊技球の脱落等を阻止する構成とすれば、構成の煩雑化を抑制でき、実用上好ましい構成を実現できる。
【０２３１】
特徴Ａ１３．前記両可動部材は、それぞれ前記球受入部及び前記作用部を備えており、
前記作用部は、前記停留部に停留している遊技球を、自身が設けられている一方の可動部材側から他方の可動部材側に移動させるものであることを特徴とするＡ１１に記載の遊技機。
【０２３２】
特徴Ａ１３によれば、遊技球を両可動部材間にて行き来させることが可能となり、何れかの可動部材の球受入部に遊技球が入るまでの同遊技球の動きを多様化できる。
【０２３３】
また、作用部には、自身が設けられた一方の可動部材に対して遊技球が入るのを抑制する機能と、他方の可動部材の球受入部に対して遊技球が入るのを促進させる機能とを付与することができ、構成の煩雑化を抑制しつつ、遊技球の動きの多様化に貢献できる。
【０２３４】
特徴Ａ１４．前記停留部は、自身の上面に載っている遊技球を下側から支持するものであり、その上面は、前記両可動部材の中間位置を境界（例えば頂部３２１）として前記両可動部材側にそれぞれ下っていることを特徴とするＡ１１乃至Ａ１３のいずれか１つに記載の遊技機。
【０２３５】
特徴Ａ１４によれば、両可動部材が作用部を有することで遊技球の往来を容易化でき、更には停留部の上面が両可動部材の中間位置を境としてそれら両可動部材側に下っているため遊技球を一方の可動部材側に偏倚した状態と他方の可動部材側に偏倚した状態とで停留させることができる。これにより、遊技球の動きに抑揚を付けたり、その停留位置が遊技者にとって有利であるか又は不利であるかを分かりやすくしたりすることができる。
【０２３６】
なお「両可動部材の中間位置を境界として」とは、境界が両可動部材のまんなかに位置していることに限定するものでなく、少なくとも同境界が両可動部材の間に位置していることを示している。
【０２３７】
特徴Ａ１５．前記両可動部材は、前記停留部に停留している遊技球が前記境界上に載っている状態にて一方の可動部材側に傾いた場合にはその一方の可動部材の外周部に当接し、他方に傾いた場合にはその他方の可動部材の外周部に当接する位置にそれぞれ配置されていることを特徴とするＡ１４に記載の遊技機。
【０２３８】
作用部によって遊技球の位置（何れの可動部材側に偏倚しているか）を変化させる場合に、同遊技球の移動が緩慢になると遊技球に対する注目度が低下しやすくなり得る。この点、本特徴においては、遊技球が停留部の境界に載ったまま両可動部材側に傾く（振れる）ことで上記位置の変更が可能となる。これにより、素早い切り替えを実現し、更には注目すべき範囲を限定することで遊技者の目に生じる負担の低減に貢献できる。
【０２３９】
例えば、境界が点状又は線状をなす場合には、同境界を支点として遊技球を回動させるとよい。
【０２４０】
特徴Ａ１６．前記作用部は、前記停留部に停留している遊技球を当該作用部に吸引するものであることを特徴とするＡ１乃至Ａ１５のいずれか１つに記載の遊技機。
【０２４１】
特徴Ａ１６によれば、作用部によって遊技球を吸引することにより、同遊技球に動きを与えることができる。例えば作用部が遊技球に対して当たることにより同遊技球を動かす構成においては、遊技球に対して当たるか否かによって作用部の作用の可否が分けられる。この点、遊技球を吸引する構成においては、遊技球と作用部との距離によって、その作用に差違を生じさせることができる。これにより、遊技球の動きを一層多様化させることが可能となる。
【０２４２】
なお、一般的に遊技球は鉄等の磁性体によって形成されている。故に、例えば作用部として磁石等を用い、その磁力によって遊技球を吸引する構成とすればよい。
【０２４３】
特徴Ａ１７．前記停留部に遊技球を案内するとともに、前記停留部に停留している遊技球に対して後続する遊技球を待機可能に設けられた球案内部（第２案内部３０２）を備え、
前記停留部は、遊技球を下側から支えるものであり、
前記球案内部は、前記停留部よりも上位となる位置に設けられているとともに、前記停留部に停留している遊技球（例えば遊技球Ｂ３）に対して後続する遊技球（例えば遊技球Ｂ４）が待機している場合には、その後続する遊技球が前記停留部に停留している遊技球の上部に当接するように構成されており、
前記球案内部に遊技球が待機している場合には、前記作用部の吸引力に基づいた前記停留部に停留している遊技球の移動が前記球案内部に待機している遊技球によって妨げられることを特徴とするＡ１６に記載の遊技機。
【０２４４】
特徴Ａ１７によれば、停留部に停留している遊技球に対して後続する遊技球の有無によって作用部の吸引力による影響を変化させることができる。つまり、後続の遊技球が存在しない場合には、吸引力の影響を受けやすくし、後続の遊技球が存在する場合には同遊技球によって停留部上の遊技球が押されることにより、吸引力の影響を受けにくくすることができる。これにより、遊技球の動きの更なる多様化に貢献できる。
【０２４５】
なお、作用部によって停留中の遊技球を押す構成に本特徴に示す技術的思想を適用することも可能である。しかしながら、この場合、作用部を作用させる部分に負荷が加わりやすくなると想定される。これは、作用部の機能保全の観点から好ましくない。この点、本特徴に示すように、作用部が吸引力を有する構成においては遊技球との直接の接触等は必要ないので、作用部に対して負荷が加わることを回避できる。故に、作用部の機能を好適に担保でき、実用上好ましい構成を実現できる。
【０２４６】
特徴Ａ１８．前記受入手段は、動作可能に設けられている可動部材を有するとともに、当該可動部材の動作によって前記許容状態と前記非許容状態との切り替えを行うものであり、
前記作用部は、前記可動部材に設けられ、前記停留部に停留している遊技球を押すことにより自身から遠ざける第１作用部と前記停留部に停留している遊技球を引き寄せる第２作用部とを有しており、
それら第１作用部及び第２作用部が前記可動部材の移動方向に沿って配置されていることを特徴とするＡ１乃至Ａ１７のいずれか１つに記載の遊技機。
【０２４７】
特徴Ａ１８によれば、遊技球を遠ざける機能が付与された第１作用部と遊技球を引き寄せる機能が付与された第２作用部とを可動部材に設け、それら第１作用部及び第２作用部を可動部材の移動方向に沿って配置することにより、可動部材の動作に応じて停留部に停留中の遊技球の動きを多様化できる。遊技球の挙動に対する注目度を高めやすくできる。
【０２４８】
例えば、遊技球が作用部の作用がおよぶ位置に至ったタイミングによって、第１作用部及び第２作用部のいずれか一方が他方よりも作用しやくなる構成とすればよい。
【０２４９】
特徴Ａ１９．遊技球が流下する遊技領域（遊技領域ＰＥ）が設けられた遊技盤（遊技盤８１）と、
前記遊技領域を流下する複数の遊技球のうち少なくとも一部の遊技球を停留させる停留部（停留部３２０）と、
前記停留部に停留している遊技球を受け入れる球受入部（球収容部３３２，３４２）を有し、その球受入部による遊技球の受け入れを許容する許容状態、及び同球受入部による遊技球の受け入れを許容しない非許容状態とに切替可能に設けられている受入手段（振分部材３３０，３４０）と、
前記受入手段が前記非許容状態である状況において前記停留部に遊技球が停留した場合に、前記受入手段が前記非許容状態から前記許容状態に切り替えられるまでの間に、前記停留部において遊技球が停留可能な停留範囲のうち前記球受入部による受け入れが容易となる特定位置に同停留部に停留中の遊技球を移動させる、又は前記特定位置に存在している遊技球を前記停留範囲のうち前記特定位置以外の位置に移動させる作用部（突起３３３，３４３）と
を備えていることを特徴とする遊技機。
【０２５０】
特徴Ａ１９によれば、受入手段の状態の変化のみならず作用部の作用によって、停留部に停留中の遊技球の受け入れの状態に変化を与えることができる。これにより、停留部に停留している遊技球の受け入れパターンを多様化でき、遊技球の動きに意外性を付与しやすくできる。更には、注目すべき点が受入手段の状態の変化のみならず作用部による遊技球の受け入れ状態の変化にまで及ぶ。そのような状態の変化の中に遊技球を留めることで、遊技球の挙動に対する注目度を高めやすくできる。
【０２５１】
なお、本特徴に対して特徴Ａ２乃至特徴Ａ１８に示した技術的特徴を適用してもよい。
【０２５２】
特徴Ａ２０．遊技球が流下する遊技領域（遊技領域ＰＥ）が設けられた遊技盤（遊技盤８１）と、
前記遊技領域を流下する複数の遊技球のうち少なくとも一部の遊技球を停留させる停留部（停留部３２０）と、
前記停留部に停留している遊技球を移動させる第１作用部（例えば球収容部３３２，突起３３３，磁石３３４の１つ）及びそれとは異なる態様で遊技球を移動させる第２作用部（例えば球収容部３３２，突起３３３，磁石３３４の１つ）を有し、それら各作用部の作用が前記停留部に停留している遊技球におよぶ位置を含んだ範囲で同作用部を移動させる可動部材（振分部材３３０，３４０）と
を備えていることを特徴とする遊技機。
【０２５３】
特徴Ａ２０によれば、停留部に停留している遊技球の移動態様を第１作用部及び第２作用部のいずれが作用するかによって異なるものとすることにより、同遊技球の動きに意外性を持たせやすくしている。これにより、遊技球に対する注目度の向上に貢献できる。
【０２５４】
なお、本特徴に対して特徴Ａ２乃至特徴Ａ１８に示した技術的特徴を適用してもよい。
【０２５５】
特徴Ａ２１．前記第１作用部は、前記可動部材の外周部（外周面３３０ａ）に遊技球を吸着させるものであり、
前記第２作用部は、前記可動部材の外周部から凹み、前記可動部材の内側に遊技球を収容するものであることを特徴とするＡ２０に記載の遊技機。
【０２５６】
特徴Ａ２１によれば、停留部に停留している遊技球は、可動部材の外周面に吸着されたり、可動部材に設けられた凹みに収容されたりする。このように、遊技球の移動態様に視覚的な差違を生じさせることで、遊技球の動きの意外性を高め、同遊技球の動きに対する注目度を向上に貢献することができる。
【０２５７】
特徴２２Ａ．前記第１作用部は、前記遊技球を押すことで、前記可動部材から前記遊技球を遠ざけるものであり、
前記第２作用部は、前記可動部材の外周部（外周面３３０ａ）から凹み、前記可動部材の内側に遊技球を収容するものであることを特徴とするＡ２０に記載の遊技機。
【０２５８】
特徴Ａ２２によれば、停留部に停留している遊技球は、可動部材から遠ざけられたり、可動部材に設けられた凹みに収容されたりする。このように、遊技球の移動態様に視覚的な差違を生じさせることで、遊技球の動きの意外性を高め、同遊技球の動きに対する注目度を向上に貢献することができる。
【０２５９】
特徴２３Ａ．前記第１作用部は、前記可動部材の外周部（外周面３３０ａ）に遊技球を吸着させるものであり、
前記第２作用部は、前記遊技球を押すことで、前記可動部材から前記遊技球を遠ざけるものであることを特徴とするＡ２０に記載の遊技機。
【０２６０】
特徴Ａ２３によれば、停留部に停留している遊技球は、可動部材の外周面に吸着されたり、可動部材から遠ざけられたりする。このように、遊技球の移動態様に視覚的な差違を生じさせることで、遊技球の動きの意外性を高め、同遊技球の動きに対する注目度を向上に貢献することができる。
【０２６１】
特徴Ｂ１．遊技球を停留させる停留部（停留部３２０）と、
遊技球を停留部に案内するとともに、前記停留部に停留している遊技球（例えば遊技球Ｂ３）に対して後続する遊技球（例えば遊技球Ｂ４）が存在する場合にはその後続する遊技球を前記停留部に停留している遊技球に対して当接させた状態で保持可能な案内部（第２案内部３０４）と、
前記停留部に停留している遊技球を予め定められた所定位置に移動させる移動手段（例えば振分部材３３０，３４０の磁石３３４，３４４）と
を備え、
前記停留部に停留中の遊技球に対して後続する遊技球が前記案内部に待機している場合には、同案内部に待機中の遊技球の重みによって前記移動手段による前記所定位置への遊技球の移動が困難又は不可となることを特徴とする遊技機。
【０２６２】
特徴Ｂ１によれば、停留部に停留している遊技球の移動態様を、同遊技球に対して後続する遊技球の重みによって変化させることができる。これにより、構造の複雑化を抑制しつつ遊技球の移動態様の多様化に貢献できる。
【０２６３】
例えば、前記停留部に停留中の遊技球に対して後続する遊技球が前記案内部に待機している場合には、停留中の遊技球が所定位置とは異なる位置に移動される構成とするとよい。
【０２６４】
特徴Ｂ２．遊技球が流下する遊技領域（遊技領域ＰＥ）が設けられた遊技盤（遊技盤８１）と、
前記遊技領域に設けられ、前記遊技領域を流下する複数の遊技球のうち少なくとも一部の遊技球を遊技機前方から視認可能な状態で停留させる停留部（停留部３２０）と、
遊技球を停留部に案内するとともに、前記停留部に停留している遊技球（例えば遊技球Ｂ３）に対して後続する遊技球（例えば遊技球Ｂ４）が存在する場合にはその後続する遊技球を前記停留部に停留している遊技球に対して当接させた状態で保持可能な案内部（第２案内部３０４）と、
前記停留部に停留している遊技球を予め定められた所定位置に移動させる移動手段（例えば振分部材３３０，３４０の磁石３３４，３４４）と
を備え、
前記停留部に停留中の遊技球に対して後続する遊技球が前記案内部に待機している場合には、同案内部に待機中の遊技球の重みによって前記移動手段による前記所定位置への遊技球の移動が困難又は不可となることを特徴とする遊技機。
【０２６５】
特徴Ｂ２によれば、特徴Ｂ１に示した効果に加え以下の効果を奏する。すなわち、停留部に停留している遊技球の移動態様を多様化でき、同遊技球の動きに対する注目度を高めることができる。特に後続する遊技球の有無によって移動態様に差違を生じさせることにより、遊技球の動きの意外性を高めることができる。例えば、後続の遊技球を視認可能とすることにより、遊技者の注意を、停留部上の遊技球のみならず、それに後続する遊技球の対しても向けやすくできる。また、後続の遊技球を視認不可とすることにより、停留部上の遊技球の挙動に意外性を与えやすくできる。
【０２６６】
特徴Ｂ３．前記移動手段は、前記停留部に停留している遊技球を拘束し前記所定位置に向けて同遊技球を移動させる拘束力を発揮する作用部（磁石３３４，３４４）を有し、
前記停留部に停留中の遊技球に対して後続する遊技球が前記案内部に待機している場合に、当該後続の遊技球によって前記停留部に停留している遊技球に対して加わる球荷重は、前記拘束力よりも大きく設定されていることを特徴とするＢ２に記載の遊技機。
【０２６７】
特徴Ｂ３によれば、停留中の遊技球に対して後続する遊技球がある場合には、後続の遊技球の重み（球荷重）が作用部の拘束力に勝ることで、遊技球が所定位置に移動されることを阻止できる。一方、後続の遊技球が存在しない場合には、停留中の遊技球が移動手段によって所定位置に移動される。このように作用部の拘束力と、後続の遊技球による球荷重とを併用することで、遊技球の動きの多様化を促進できる。
【０２６８】
特徴Ｂ４．前記停留部は、前記遊技球を下側から支えるものであり、
前記案内部は、前記停留部よりも上方であって、当該案内部に待機している遊技球が、前記停留部に支えられている遊技球に対して上方から当接するように配置されており、
前記作用部は、前記遊技球を拘束した状態で上方に移動することにより、前記停留部から前記遊技球を離間させるように作用するものであることを特徴とするＢ３に記載の遊技機。
【０２６９】
特徴Ｂ４によれば、案内部に待機している遊技球の重み（球荷重）を好適に利用することができる。これにより、作用部における拘束力を過度に強める必要がなくなり、同作用部の影響が他の遊技球や周辺部品等に及ぶことを抑制可能となる。
【０２７０】
なお、特徴Ｂ１乃至特徴Ｂ４のいずれか１つを、上記特徴Ａ１乃至特徴Ａ２３に適用してもよい。
【０２７１】
以下に、以上の各特徴を適用し得る各種遊技機の基本構成を示す。
【０２７２】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８８等）とを備え、それら各遊技部品のうち所定の通過部（一般入賞口８２等）を遊技球が通過した場合に遊技者に特典を付与する遊技機。
【符号の説明】
【０２７３】
１０…パチンコ機、８１…遊技盤、２５０…入賞役物ユニット、２６０…ケース、３００…振分装置、３０１，３０２…第１供給経路、３０３…第１案内部、３０４…第２案内部、３１１，３１２…円柱、３１３…樋、３１４…溝部、３１６…第２供給経路、３１７…第３供給経路、３２０…停留部、３２１…頂部、３３０…左側振分部材、３３２…球収容部、３３３…突起、３３４…磁石、３４０…右側振分部材、３４２…球収容部、３４３…突起、３４４…磁石、３５０…入賞役物、３５６…入球部。
【図１】
2020078692.tif 000003
【図２】
2020078692.tif 000004
【図３】
2020078692.tif 000005
【図４】
2020078692.tif 000006
【図５】
2020078692.tif 000007
【図６】
2020078692.tif 000008
【図７】
2020078692.tif 000009
【図８】
2020078692.tif 000010
【図９】
2020078692.tif 000011
【図１０】
2020078692.tif 000012
【図１１】
2020078692.tif 000013
【図１２】
2020078692.tif 000014
【図１３】
2020078692.tif 000015
【図１４】
2020078692.tif 000016
【図１５】
2020078692.tif 000017
【図１６】
2020078692.tif 000018
【図１７】
2020078692.tif 000019
【図１８】
2020078692.tif 000020
【図１９】
2020078692.tif 000021